(57)【要約】  同時使用のためのダウンリンク制御情報(DCI)フォーマットのセットに対するDCIフォーマットサイズの数を制限するために、DCIフォーマットのサイズ整合を提供するように構成されるシステムおよび方法が、説明される。本開示の実施形態によれば、同時使用のためのDCIフォーマットのセットに対するDCIフォーマットサイズの数を制限するためにDCIフォーマットのセットのうちの少なくとも2つのDCIフォーマットをサイズ整合することが実施される。DCIフォーマットのセットに対するDCIフォーマットサイズの数に関する制約は、ワイヤレス通信スロット当たりのDCIフォーマットサイズの総数に基づく第1の数のDCIサイズパラメータと、ワイヤレス通信スロット当たりの識別子を使用して符号化されるDCIペイロードを搬送するために使用されるDCIフォーマットに対するDCIフォーマットサイズの総数に基づく第2の数のDCIサイズパラメータ、の両方に対応し得る。
2021518690.tif 000002
【特許請求の範囲】
【請求項１】
複数のダウンリンク制御情報(DCI)フォーマットを使用するワイヤレス通信の方法であって、
ワイヤレス通信の間の同時使用のための前記複数のDCIフォーマットのうちのDCIフォーマットのセットを決定するステップであって、前記複数のDCIフォーマットのうちのDCIフォーマットが異なるサイズとなるように構成可能である、ステップと、
同時使用のためのDCIフォーマットサイズの数に関する制約を満たすように、異なるサイズとなるように構成可能である前記DCIフォーマットのセットのうちの少なくとも2つのDCIフォーマットをサイズ整合するステップとを備える、方法。
【請求項２】
同時使用のためのDCIフォーマットサイズの数に関する前記制約が、同時使用のための前記DCIフォーマットのセットに対するDCIフォーマットサイズの数を、第1の数のDCIサイズパラメータと第2の数のDCIサイズパラメータの両方に制限し、前記第1の数のDCIサイズパラメータが、ワイヤレス通信スロット当たりのDCIフォーマットサイズの総数に基づき、前記第2の数のDCIサイズパラメータが、ワイヤレス通信スロット当たりの識別子を使用して符号化されるDCIペイロードを搬送するために使用されるDCIフォーマットに対するDCIフォーマットサイズの総数に基づく、請求項1に記載の方法。
【請求項３】
前記第1の数のDCIサイズパラメータが、前記複数のDCIフォーマットのDCIフォーマットの数より小さい、請求項2に記載の方法。
【請求項４】
前記第1の数のDCIサイズパラメータが、前記第2の数のDCIサイズパラメータより大きい、請求項3に記載の方法。
【請求項５】
前記第1の数のDCIサイズパラメータが4であり、前記第2の数のDCIサイズパラメータが3である、請求項4に記載の方法。
【請求項６】
前記サイズ整合が前記ワイヤレス通信の間に動的に実行される、請求項1に記載の方法。
【請求項７】
前記サイズ整合を動的に実行するステップが、
ワイヤレス通信スロットごとに、ワイヤレス通信スロット上の前記DCIフォーマットのセットのうちの前記少なくとも2つのDCIフォーマットを動的にサイズ整合するステップを備える、請求項6に記載の方法。
【請求項８】
前記サイズ整合を動的に実行するステップが、
前記DCIフォーマットのセットのうちの少なくとも1つのDCIフォーマットが探索される探索空間の監視周期または監視機会に基づいて、前記DCIフォーマットのセットのうちの前記少なくとも2つのDCIフォーマットを動的にサイズ整合するステップを備える、請求項6に記載の方法。
【請求項９】
前記DCIフォーマットのセットのうちの前記少なくとも2つのDCIフォーマットを動的にサイズ整合する前記ステップが、前記第1の数のDCIサイズパラメータおよび前記第2の数のDCIサイズパラメータのうちの少なくとも1つに関して最大の数のDCIフォーマットサイズを有する監視期間におけるワイヤレス通信スロットに基づく、請求項8に記載の方法。
【請求項１０】
前記サイズ整合を動的に実行するステップが、
キャリア帯域幅部分(BWP)切り替えに関して前記DCIフォーマットのセットのうちの前記少なくとも2つのDCIフォーマットを動的にサイズ整合するステップを備える、請求項6に記載の方法。
【請求項１１】
動的なサイズ整合が実行される前記DCIフォーマットのセットのうちの前記少なくとも2つのDCIフォーマットが、アップリンクスケジューリングDCIフォーマットおよびダウンリンクスケジューリングDCIフォーマットを備え、前記方法が、
前記動的なサイズ整合のために無線リソース制御(RRC)構成を使用するステップをさらに備える、請求項6に記載の方法。
【請求項１２】
前記DCIフォーマットのセットが、前記第2の数のDCIサイズパラメータより大きい、ワイヤレス通信スロット当たりの識別子を使用して符号化されるDCIペイロードを搬送するために使用されるDCIフォーマットに対するDCIフォーマットサイズの総数を備えると決定するステップと、
前記DCIフォーマットのセットに対する構成されるDCIサイズに基づいて、前記DCIフォーマットのセットのうちの前記少なくとも2つのDCIフォーマットを動的にサイズ整合するステップとをさらに備える、請求項6に記載の方法。
【請求項１３】
前記DCIフォーマットのセットが、前記第1の数のDCIサイズパラメータより大きい、ワイヤレス通信スロット当たりのDCIフォーマットサイズの総数を備えると決定するステップと、
前記DCIフォーマットのセットに対する構成されるDCIサイズに基づいて、前記DCIフォーマットのセットのうちの前記少なくとも2つのDCIフォーマットを動的にサイズ整合するステップとをさらに備える、請求項6に記載の方法。
【請求項１４】
サイズ整合が前記少なくとも2つのDCIフォーマットのうちの第2のDCIフォーマットに関して動的に行われる、前記少なくとも2つのDCIフォーマットのうちの第1のDCIフォーマットの情報をパディングするステップをさらに備える、請求項6に記載の方法。
【請求項１５】
サイズ整合が前記少なくとも2つのDCIフォーマットのうちの第2のDCIフォーマットに関して動的に行われる、前記少なくとも2つのDCIフォーマットのうちの第1のDCIフォーマットの情報を切り取るステップをさらに備える、請求項6に記載の方法。
【請求項１６】
サイズ整合する前記ステップが、
前記少なくとも2つのDCIフォーマットのうちの第1のDCIフォーマットのリソース割振り(RA)サイズを前記少なくとも2つのDCIフォーマットのうちの第2のDCIフォーマットのRAサイズにサイズ整合するステップと、
前記第1のDCIフォーマットの前記DCIペイロードの情報をパディングし、または切り取ることによって、前記第1のDCIフォーマットの全体のDCIペイロードサイズを前記第2のDCIフォーマットの全体のDCIペイロードサイズにサイズ整合するステップとを備える、請求項6に記載の方法。
【請求項１７】
サイズ整合する前記ステップが、
前記少なくとも2つのDCIフォーマットのうちの第1のDCIフォーマットの全体のDCIペイロードサイズを前記少なくとも2つのDCIフォーマットのうちの第2のDCIフォーマットの全体のDCIペイロードサイズにサイズ整合することを試みるために、初期のキャリア帯域幅部分(BWP)のリソース割振り(RA)サイズを使用するステップと、
前記第1のDCIフォーマットの前記全体のDCIペイロードサイズが、前記初期のBWPの前記RAサイズを使用して前記第2のDCIフォーマットの前記全体のDCIペイロードサイズと一致しない場合、前記第1のDCIフォーマットの前記DCIペイロードの情報をパディングし、または切り取ることによって、前記第1のDCIフォーマットの前記全体のDCIペイロードサイズを、前記第2のDCIフォーマットの前記全体のDCIペイロードサイズにサイズ整合するステップとを備える、請求項6に記載の方法。
【請求項１８】
サイズ整合する前記ステップが、
前記少なくとも2つのDCIフォーマットのうちの第1のDCIフォーマットの全体のDCIペイロードサイズを前記少なくとも2つのDCIフォーマットのうちの第2のDCIフォーマットの全体のDCIペイロードサイズにサイズ整合することを試みるために、アクティブキャリア帯域幅部分(BWP)のリソース割振り(RA)サイズを使用するステップと、
前記第1のDCIフォーマットの前記全体のDCIペイロードサイズが、前記アクティブBWPの前記RAサイズを使用して前記第2のDCIフォーマットの前記全体のDCIペイロードサイズと一致しない場合、前記第1のDCIフォーマットの前記DCIペイロードの情報をパディングし、または切り取ることによって、前記第1のDCIフォーマットの前記全体のDCIペイロードサイズを、前記第2のDCIフォーマットの前記全体のDCIペイロードサイズにサイズ整合するステップとを備える、請求項6に記載の方法。
【請求項１９】
サイズ整合する前記ステップが、
前記少なくとも2つのDCIフォーマットのうちのダウンリンクスケジューリングDCIフォーマットの全体のDCIペイロードサイズにおいて、アクティブダウンリンクキャリア帯域幅部分(BWP)のダウンリンクスケジューリングDCIフォーマットリソース割振り(RA)サイズを使用するステップと、
前記少なくとも2つのDCIフォーマットのうちのアップリンクスケジューリングDCIフォーマットの全体のDCIペイロードサイズにおいて、アクティブアップリンクBWPのアップリンクスケジューリングDCIフォーマットRAサイズを使用するステップと、
前記ダウンリンクスケジューリングDCIフォーマットの前記全体のDCIペイロードサイズと前記アップリンクスケジューリングDCIフォーマットの前記ペイロードサイズが一致しない場合、前記アップリンクスケジューリングDCIフォーマットもしくは前記ダウンリンクスケジューリングDCIフォーマットのうちの1つの前記DCIペイロードの情報をパディングし、または切り取ることによって、前記ダウンリンクスケジューリングDCIフォーマットと前記アップリンクスケジューリングDCIフォーマットのうちの一方の前記全体のDCIペイロードサイズを、前記アップリンクスケジューリングDCIフォーマットと前記ダウンリンクスケジューリングDCIフォーマットのうちの他方にサイズ整合するステップとを備える、請求項6に記載の方法。
【請求項２０】
動的なサイズ整合が実行される前記DCIフォーマットのセットのうちの前記少なくとも2つのDCIフォーマットが、アップリンクに関して使用される第1のDCIフォーマットと、前記アップリンクに対応する補助的なアップリンクに関して使用される第2のDCIフォーマットとを備え、前記方法が、
前記第1のDCIフォーマットと前記第2のDCIフォーマットの一方を、前記第2のDCIフォーマットと前記第1のDCIフォーマットの他方へ、前記第2のDCIフォーマットと前記第1のDCIフォーマットの前記他方に対する構成されるDCIサイズに基づいてサイズ整合するステップを備える、請求項6に記載の方法。
【請求項２１】
動的なサイズ整合が実行される前記DCIフォーマットのセットのうちの前記少なくとも2つのDCIフォーマットが、ダウンリンクに関して使用される第1のDCIフォーマットと、前記ダウンリンクと関連付けられるアップリンクに対応する補助的なアップリンクに関して使用される第2のDCIフォーマットとを備え、前記方法が、
前記第1のDCIフォーマットに対する構成されるDCIサイズに基づいて、前記第2のDCIフォーマットを前記第1のDCIフォーマットにサイズ整合するステップを備える、請求項6に記載の方法。
【請求項２２】
動的なサイズ整合が実行される前記DCIフォーマットのセットのうちの前記少なくとも2つのDCIフォーマットが、ダウンリンクに関して使用される第1のDCIフォーマットと、前記ダウンリンクに対応するアップリンクに関して使用される第2のDCIフォーマットと、前記アップリンクに対応する補助的なアップリンクに関して使用される第3のDCIフォーマットとを備え、前記方法が、
前記第1のDCIフォーマット、前記第2のDCIフォーマット、および前記第3のDCIフォーマットのうちの2つを、前記第3のDCIフォーマット、前記第2のDCIフォーマット、および前記第1のDCIフォーマットのうちの残りの1つへ、前記第3のDCIフォーマット、前記第2のDCIフォーマット、および前記第1のDCIフォーマットのうちの前記残りの1つに対する構成されたDCIサイズに基づいてサイズ整合するステップを備える、請求項6に記載の方法。
【請求項２３】
前記DCIフォーマットのセットが、共通探索空間(CSS)におけるDCIフォーマット0-0および1-0と、UE固有探索空間(USS)におけるDCIフォーマット0-0および1-0とを含み、同時使用のためのDCIフォーマットサイズの数に関する前記制約である、DCIフォーマットサイズの数の予定が、前記DCIフォーマットのセットに関して満たされない場合、少なくとも2つのDCIフォーマットをサイズ整合する前記ステップが、USSにおけるDCIフォーマット0-0および1-0を、CSSにおけるDCIフォーマット0-0および1-0にサイズ整合するステップを備える、請求項6に記載の方法。
【請求項２４】
前記DCIフォーマットのセットがDCIフォーマット0-0および1-0を含み、少なくとも2つのDCIフォーマットをサイズ整合する前記ステップが、
前記DCIフォーマット0-0の全体のDCIペイロードサイズを前記DCIフォーマット1-0の全体のDCIペイロードサイズにサイズ整合することを試みるために、初期のアップリンク帯域幅部分(BWP)のリソース割振り(RA)サイズをサイズ整合するステップと、
前記初期のアップリンクBWPの前記RAサイズを使用して、前記DCIフォーマット0-0の前記全体のDCIペイロードサイズが前記DCIフォーマット1-0の前記全体のDCIペイロードサイズと一致しない場合、
前記DCIフォーマット0-0の前記DCIペイロードをゼロパディングすることによって、前記DCIフォーマット0-0の前記全体のDCIペイロードサイズを前記DCIフォーマット1-0の前記全体のDCIペイロードサイズにサイズ整合するステップとを備える、請求項6に記載の方法。
【請求項２５】
前記DCIフォーマットのセットがDCIフォーマット0-0および1-0を含み、少なくとも2つのDCIフォーマットをサイズ整合する前記ステップが、
前記DCIフォーマット0-0の全体のDCIペイロードサイズを前記DCIフォーマット1-0の全体のDCIペイロードサイズにサイズ整合することを試みるために、アクティブダウンリンク帯域幅部分(BWP)に関するダウンリンクリソース割振り(RA)サイズをサイズ整合し、アクティブアップリンクBWPに関するアップリンクRAサイズをサイズ整合するステップと、
前記DCIフォーマット0-0の前記全体のDCIペイロードサイズが前記DCIフォーマット1-0の前記全体のDCIペイロードサイズと一致しない場合、
前記DCIフォーマット0-0または前記DCIフォーマット1-0の前記DCIペイロードをゼロパディングすることによって、前記DCIフォーマット0-0の前記全体のDCIペイロードサイズおよび前記DCIフォーマット1-0の前記全体のDCIペイロードサイズをサイズ整合するステップとを備える、請求項6に記載の方法。
【請求項２６】
少なくとも2つのDCIフォーマットをサイズ整合する前記ステップが、主要なリンクに関して使用されるDCIフォーマットに対するDCIフォーマットサイズをサイズ整合するステップと、前記主要なリンクに対する構成されるDCIサイズの最大の構成されるDCIサイズおよび補助的なリンクに対する構成されるDCIサイズに基づいて、前記補助的なリンクに関して使用されるDCIフォーマットに対するDCIフォーマットサイズをサイズ整合するステップとを備える、請求項6に記載の方法。
【請求項２７】
少なくとも2つのDCIフォーマットをサイズ整合する前記ステップが、補助的なリンクに関して使用されるDCIフォーマットに対するDCIフォーマットサイズを、対応する主要なリンクに関して使用されるDCIフォーマットに対する構成されるDCIサイズにサイズ整合するステップを備える、請求項6に記載の方法。
【請求項２８】
少なくとも2つのDCIフォーマットをサイズ整合する前記ステップが、アクティブ帯域幅部分(BWP)に基づいて、主要なダウンリンクに関して使用されるDCIフォーマットに対するDCIフォーマットサイズ、主要なアップリンクに関して使用されるDCIフォーマットに対するDCIフォーマットサイズ、および補助的なリンクに関して使用されるDCIフォーマットに対するDCIフォーマットサイズをサイズ整合するステップを備える、請求項6に記載の方法。
【請求項２９】
DCIペイロードを符号化するために使用される識別子が、セル無線ネットワーク一時識別子(C-RNTI)を備える、請求項1に記載の方法。
【請求項３０】
複数のダウンリンク制御情報(DCI)フォーマットを使用するワイヤレス通信のために構成される装置であって、
ワイヤレス通信の間の同時使用のための前記複数のDCIフォーマットのうちのDCIフォーマットのセットを決定するための手段であって、前記複数のDCIフォーマットのうちのDCIフォーマットが異なるサイズとなるように構成可能である、手段と、
同時使用のためのDCIフォーマットサイズの数に関する制約を満たすように、異なるサイズとなるように構成可能である前記DCIフォーマットのセットのうちの少なくとも2つのDCIフォーマットをサイズ整合するための手段とを備える、装置。
【請求項３１】
同時使用のためのDCIフォーマットサイズの数に関する前記制約が、同時使用のための前記DCIフォーマットのセットに対するDCIフォーマットサイズの数を、第1の数のDCIサイズパラメータと第2の数のDCIサイズパラメータの両方に制限し、前記第1の数のDCIサイズパラメータが、ワイヤレス通信スロット当たりのDCIフォーマットサイズの総数に基づき、前記第2の数のDCIサイズパラメータが、ワイヤレス通信スロット当たりの識別子を使用して符号化されるDCIペイロードを搬送するために使用されるDCIフォーマットに対するDCIフォーマットサイズの総数に基づく、請求項30に記載の装置。
【請求項３２】
前記第1の数のDCIサイズパラメータが、前記複数のDCIフォーマットのDCIフォーマットの数より小さい、請求項31に記載の装置。
【請求項３３】
前記第1の数のDCIサイズパラメータが、前記第2の数のDCIサイズパラメータより大きい、請求項32に記載の装置。
【請求項３４】
前記サイズ整合が前記ワイヤレス通信の間に動的に実行される、請求項30に記載の装置。
【請求項３５】
前記DCIフォーマットのセットのうちの少なくとも1つのDCIフォーマットが探索される探索空間の監視周期または監視機会に基づいて、前記DCIフォーマットのセットのうちの前記少なくとも2つのDCIフォーマットを動的にサイズ整合するための手段をさらに備える、請求項34に記載の装置。
【請求項３６】
キャリア帯域幅部分(BWP)切り替えに関して前記DCIフォーマットのセットのうちの前記少なくとも2つのDCIフォーマットを動的にサイズ整合するための手段をさらに備える、請求項34に記載の装置。
【請求項３７】
動的なサイズ整合が実行される前記DCIフォーマットのセットのうちの前記少なくとも2つのDCIフォーマットが、アップリンクスケジューリングDCIフォーマットおよびダウンリンクスケジューリングDCIフォーマットを備え、前記装置が、
前記動的なサイズ整合のために無線リソース制御(RRC)構成を使用するための手段をさらに備える、請求項34に記載の装置。
【請求項３８】
前記DCIフォーマットのセットが、前記第2の数のDCIサイズパラメータより大きい、ワイヤレス通信スロット当たりの識別子を使用して符号化されるDCIペイロードを搬送するために使用されるDCIフォーマットに対するDCIフォーマットサイズの総数を備えると決定するための手段と、
前記DCIフォーマットのセットに対する構成されるDCIサイズに基づいて、前記DCIフォーマットのセットのうちの前記少なくとも2つのDCIフォーマットを動的にサイズ整合するための手段とをさらに備える、請求項34に記載の装置。
【請求項３９】
前記DCIフォーマットのセットが、前記第1の数のDCIサイズパラメータより大きい、ワイヤレス通信スロット当たりのDCIフォーマットサイズの総数を備えると決定するための手段と、
前記DCIフォーマットのセットに対する構成されるDCIサイズに基づいて、前記DCIフォーマットのセットのうちの前記少なくとも2つのDCIフォーマットを動的にサイズ整合するための手段とをさらに備える、請求項34に記載の装置。
【請求項４０】
サイズ整合するための前記手段が、
前記少なくとも2つのDCIフォーマットのうちの第1のDCIフォーマットのリソース割振り(RA)サイズを前記少なくとも2つのDCIフォーマットのうちの第2のDCIフォーマットのRAサイズにサイズ整合するための手段と、
前記第1のDCIフォーマットの前記DCIペイロードの情報をパディングし、または切り取ることによって、前記第1のDCIフォーマットの全体のDCIペイロードサイズを前記第2のDCIフォーマットの全体のDCIペイロードサイズにサイズ整合するための手段とを備える、請求項34に記載の装置。
【請求項４１】
サイズ整合するための前記手段が、
前記少なくとも2つのDCIフォーマットのうちの第1のDCIフォーマットの全体のDCIペイロードサイズを前記少なくとも2つのDCIフォーマットのうちの第2のDCIフォーマットの全体のDCIペイロードサイズにサイズ整合することを試みるために、初期のキャリア帯域幅部分(BWP)のリソース割振り(RA)サイズを使用するための手段と、
前記初期のBWPの前記RAサイズを使用して前記第1のDCIフォーマットの前記全体のDCIペイロードサイズが前記第2のDCIフォーマットの前記全体のDCIペイロードサイズと一致しない場合、前記第1のDCIフォーマットの前記DCIペイロードの情報をパディングし、または切り取ることによって、前記第1のDCIフォーマットの前記全体のDCIペイロードサイズを、前記第2のDCIフォーマットの前記全体のDCIペイロードサイズにサイズ整合するための手段とを備える、請求項34に記載の装置。
【請求項４２】
サイズ整合するための前記手段が、
前記少なくとも2つのDCIフォーマットのうちの第1のDCIフォーマットの全体のDCIペイロードサイズを前記少なくとも2つのDCIフォーマットのうちの第2のDCIフォーマットの全体のDCIペイロードサイズにサイズ整合することを試みるために、アクティブキャリア帯域幅部分(BWP)のリソース割振り(RA)サイズを使用するための手段と、
前記アクティブBWPの前記RAサイズを使用して前記第1のDCIフォーマットの前記全体のDCIペイロードサイズが前記第2のDCIフォーマットの前記全体のDCIペイロードサイズと一致しない場合、前記第1のDCIフォーマットの前記DCIペイロードの情報をパディングし、または切り取ることによって、前記第1のDCIフォーマットの前記全体のDCIペイロードサイズを、前記第2のDCIフォーマットの前記全体のDCIペイロードサイズにサイズ整合するための手段とを備える、請求項34に記載の装置。
【請求項４３】
サイズ整合するための前記手段が、
前記少なくとも2つのDCIフォーマットのうちのダウンリンクスケジューリングDCIフォーマットの全体のDCIペイロードサイズにおいて、アクティブダウンリンクキャリア帯域幅部分(BWP)のダウンリンクスケジューリングDCIフォーマットリソース割振り(RA)サイズを使用するための手段と、
前記少なくとも2つのDCIフォーマットのうちのアップリンクスケジューリングDCIフォーマットの全体のDCIペイロードサイズにおいて、アクティブアップリンクBWPのアップリンクスケジューリングDCIフォーマットRAサイズを使用するための手段と、
前記ダウンリンクスケジューリングDCIフォーマットの前記全体のDCIペイロードサイズと前記アップリンクスケジューリングDCIフォーマットの前記ペイロードサイズが一致しない場合、前記アップリンクスケジューリングDCIフォーマットまたは前記ダウンリンクスケジューリングDCIフォーマットのうちの1つの前記DCIペイロードの情報をパディングし、または切り取ることによって、前記ダウンリンクスケジューリングDCIフォーマットと前記アップリンクスケジューリングDCIフォーマットの一方の前記全体のDCIペイロードサイズを、前記アップリンクスケジューリングDCIフォーマットと前記ダウンリンクスケジューリングDCIフォーマットの他方にサイズ整合するための手段とを備える、請求項34に記載の装置。
【請求項４４】
動的なサイズ整合が実行される前記DCIフォーマットのセットのうちの前記少なくとも2つのDCIフォーマットが、アップリンクに関して使用される第1のDCIフォーマットと、前記アップリンクに対応する補助的なアップリンクに関して使用される第2のDCIフォーマットとを備え、前記装置が、
前記第1のDCIフォーマットと前記第2のDCIフォーマットの一方を、前記第2のDCIフォーマットと前記第1のDCIフォーマットの他方へ、前記第2のDCIフォーマットと前記第1のDCIフォーマットの前記他方に対する構成されるDCIサイズに基づいてサイズ整合するための手段を備える、請求項34に記載の装置。
【請求項４５】
動的なサイズ整合が実行される前記DCIフォーマットのセットのうちの前記少なくとも2つのDCIフォーマットが、ダウンリンクに関して使用される第1のDCIフォーマットと、前記ダウンリンクと関連付けられるアップリンクに対応する補助的なアップリンクに関して使用される第2のDCIフォーマットとを備え、前記装置が、
前記第1のDCIフォーマットに対する構成されるDCIサイズに基づいて、前記第2のDCIフォーマットを前記第1のDCIフォーマットにサイズ整合するための手段を備える、請求項34に記載の装置。
【請求項４６】
動的なサイズ整合が実行される前記DCIフォーマットのセットのうちの前記少なくとも2つのDCIフォーマットが、ダウンリンクに関して使用される第1のDCIフォーマットと、前記ダウンリンクに対応するアップリンクに関して使用される第2のDCIフォーマットと、前記アップリンクに対応する補助的なアップリンクに関して使用される第3のDCIフォーマットとを備え、前記装置が、
前記第1のDCIフォーマット、前記第2のDCIフォーマット、および前記第3のDCIフォーマットのうちの2つを、前記第3のDCIフォーマット、前記第2のDCIフォーマット、および前記第1のDCIフォーマットのうちの残りの1つへ、前記第3のDCIフォーマット、前記第2のDCIフォーマット、および前記第1のDCIフォーマットのうちの前記残りの1つに対する構成されたDCIサイズに基づいてサイズ整合するための手段を備える、請求項34に記載の装置。
【請求項４７】
前記DCIフォーマットのセットが、共通探索空間(CSS)におけるDCIフォーマット0-0および1-0と、UE固有探索空間(USS)におけるDCIフォーマット0-0および1-0とを含み、同時使用のためのDCIフォーマットサイズの数に関する前記制約である、DCIフォーマットサイズの数の予定が、前記DCIフォーマットのセットに関して満たされない場合、少なくとも2つのDCIフォーマットをサイズ整合する前記手段が、USSにおけるDCIフォーマット0-0および1-0を、CSSにおけるDCIフォーマット0-0および1-0にサイズ整合する、請求項34に記載の装置。
【請求項４８】
前記DCIフォーマットのセットがDCIフォーマット0-0および1-0を含み、少なくとも2つのDCIフォーマットをサイズ整合するための前記手段が、
前記DCIフォーマット0-0の全体のDCIペイロードサイズを前記DCIフォーマット1-0の全体のDCIペイロードサイズにサイズ整合することを試みるために、初期のアップリンク帯域幅部分(BWP)のリソース割振り(RA)サイズをサイズ整合し、
前記初期のアップリンクBWPの前記RAサイズを使用して、前記DCIフォーマット0-0の前記全体のDCIペイロードサイズが前記DCIフォーマット1-0の前記全体のDCIペイロードサイズと一致しない場合、
前記DCIフォーマット0-0の前記DCIペイロードをゼロパディングすることによって、前記DCIフォーマット0-0の前記全体のDCIペイロードサイズを前記DCIフォーマット1-0の前記全体のDCIペイロードサイズにサイズ整合する、請求項34に記載の装置。
【請求項４９】
前記DCIフォーマットのセットがDCIフォーマット0-0および1-0を含み、少なくとも2つのDCIフォーマットをサイズ整合するための前記手段が、
前記DCIフォーマット0-0の全体のDCIペイロードサイズを前記DCIフォーマット1-0の全体のDCIペイロードサイズにサイズ整合することを試みるために、アクティブダウンリンク帯域幅部分(BWP)に関するダウンリンクリソース割振り(RA)サイズをサイズ整合し、アクティブアップリンクBWPに関するアップリンクRAサイズをサイズ整合し、
前記DCIフォーマット0-0の前記全体のDCIペイロードサイズが前記DCIフォーマット1-0の前記全体のDCIペイロードサイズと一致しない場合、
前記DCIフォーマット0-0または前記DCIフォーマット1-0の前記DCIペイロードをゼロパディングすることによって、前記DCIフォーマット0-0の前記全体のDCIペイロードサイズおよび前記DCIフォーマット1-0の前記全体のDCIペイロードサイズをサイズ整合する、請求項34に記載の装置。
【請求項５０】
少なくとも2つのDCIフォーマットをサイズ整合するための前記手段が、主要なリンクに関して使用されるDCIフォーマットに対するDCIフォーマットサイズをサイズ整合し、前記主要なリンクに対する構成されるDCIサイズの最大の構成されるDCIサイズおよび補助的なリンクに対する構成されるDCIサイズに基づいて、前記補助的なリンクに関して使用されるDCIフォーマットに対するDCIフォーマットサイズをサイズ整合する、請求項34に記載の装置。
【請求項５１】
少なくとも2つのDCIフォーマットをサイズ整合するための前記手段が、補助的なリンクに関して使用されるDCIフォーマットに対するDCIフォーマットサイズを、対応する主要なリンクに関して使用されるDCIフォーマットに対する構成されるDCIサイズにサイズ整合する、請求項34に記載の装置。
【請求項５２】
少なくとも2つのDCIフォーマットをサイズ整合するための前記手段が、アクティブ帯域幅部分(BWP)に基づいて、主要なダウンリンクに関して使用されるDCIフォーマットに対するDCIフォーマットサイズ、主要なアップリンクに関して使用されるDCIフォーマットに対するDCIフォーマットサイズ、および補助的なリンクに関して使用されるDCIフォーマットに対するDCIフォーマットサイズをサイズ整合する、請求項34に記載の装置。
【請求項５３】
DCIペイロードを符号化するために使用される識別子が、セル無線ネットワーク一時識別子(C-RNTI)を備える、請求項30に記載の装置。
【請求項５４】
複数のダウンリンク制御情報(DCI)フォーマットを使用するワイヤレス通信のためのプログラムコードが記録されているコンピュータ可読記憶媒体であって、前記プログラムコードが、
コンピュータに、
ワイヤレス通信の間の同時使用のための前記複数のDCIフォーマットのうちのDCIフォーマットのセットを決定させ、前記複数のDCIフォーマットのうちのDCIフォーマットが異なるサイズとなるように構成可能であり、
同時使用のためのDCIフォーマットサイズの数に関する制約を満たすように、異なるサイズとなるように構成可能である前記DCIフォーマットのセットのうちの少なくとも2つのDCIフォーマットをサイズ整合させる
ように前記コンピュータによって実行可能なプログラムコードを備える、コンピュータ可読記憶媒体。
【請求項５５】
同時使用のためのDCIフォーマットサイズの数に関する前記制約が、同時使用のための前記DCIフォーマットのセットに対するDCIフォーマットサイズの数を、第1の数のDCIサイズパラメータと第2の数のDCIサイズパラメータの両方に制限し、前記第1の数のDCIサイズパラメータが、ワイヤレス通信スロット当たりのDCIフォーマットサイズの総数に基づき、前記第2の数のDCIサイズパラメータが、ワイヤレス通信スロット当たりの識別子を使用して符号化されるDCIペイロードを搬送するために使用されるDCIフォーマットに対するDCIフォーマットサイズの総数に基づく、請求項54に記載のコンピュータ可読記憶媒体。
【請求項５６】
前記第1の数のDCIサイズパラメータが、前記複数のDCIフォーマットのDCIフォーマットの数より小さい、請求項55に記載のコンピュータ可読記憶媒体。
【請求項５７】
前記第1の数のDCIサイズパラメータが、前記第2の数のDCIサイズパラメータより大きい、請求項56に記載のコンピュータ可読記憶媒体。
【請求項５８】
前記サイズ整合が前記ワイヤレス通信の間に動的に実行される、請求項54に記載のコンピュータ可読記憶媒体。
【請求項５９】
前記プログラムコードが、前記コンピュータに、
前記DCIフォーマットのセットのうちの少なくとも1つのDCIフォーマットが探索される探索空間の監視周期または監視機会に基づいて、前記DCIフォーマットのセットのうちの前記少なくとも2つのDCIフォーマットを動的にサイズ整合させる、請求項58に記載のコンピュータ可読記憶媒体。
【請求項６０】
前記プログラムコードが、前記コンピュータに、
キャリア帯域幅部分(BWP)切り替えに関して前記DCIフォーマットのセットのうちの前記少なくとも2つのDCIフォーマットを動的にサイズ整合させる、請求項58に記載のコンピュータ可読記憶媒体。
【請求項６１】
動的なサイズ整合が実行される前記DCIフォーマットのセットのうちの前記少なくとも2つのDCIフォーマットが、アップリンクスケジューリングDCIフォーマットおよびダウンリンクスケジューリングDCIフォーマットを備え、前記プログラムコードがさらに、前記コンピュータに、
前記動的なサイズ整合のために無線リソース制御(RRC)構成を使用させる、請求項58に記載のコンピュータ可読記憶媒体。
【請求項６２】
前記プログラムコードが、前記コンピュータに、
前記DCIフォーマットのセットが、前記第2の数のDCIサイズパラメータより大きい、ワイヤレス通信スロット当たりの識別子を使用して符号化されるDCIペイロードを搬送するために使用されるDCIフォーマットに対するDCIフォーマットサイズの総数を備えると決定させ、
前記DCIフォーマットのセットに対する構成されるDCIサイズに基づいて、前記DCIフォーマットのセットのうちの前記少なくとも2つのDCIフォーマットを動的にサイズ整合させる、請求項58に記載のコンピュータ可読記憶媒体。
【請求項６３】
前記プログラムコードが、前記コンピュータに、
前記DCIフォーマットのセットが、前記第1の数のDCIサイズパラメータより大きい、ワイヤレス通信スロット当たりのDCIフォーマットサイズの総数を備えると決定させ、
前記DCIフォーマットのセットに対する構成されるDCIサイズに基づいて、前記DCIフォーマットのセットのうちの前記少なくとも2つのDCIフォーマットを動的にサイズ整合させる、請求項58に記載のコンピュータ可読記憶媒体。
【請求項６４】
前記プログラムコードが、前記コンピュータに、
前記少なくとも2つのDCIフォーマットのうちの第1のDCIフォーマットのリソース割振り(RA)サイズを前記少なくとも2つのDCIフォーマットのうちの第2のDCIフォーマットのRAサイズへサイズ整合させ、
前記第1のDCIフォーマットの前記DCIペイロードの情報をパディングし、または切り取ることによって、前記第1のDCIフォーマットの全体のDCIペイロードサイズを前記第2のDCIフォーマットの全体のDCIペイロードサイズへサイズ整合させる、請求項58に記載のコンピュータ可読記憶媒体。
【請求項６５】
前記プログラムコードが、前記コンピュータに、
前記少なくとも2つのDCIフォーマットのうちの第1のDCIフォーマットの全体のDCIペイロードサイズを前記少なくとも2つのDCIフォーマットのうちの第2のDCIフォーマットの全体のDCIペイロードサイズにサイズ整合することを試みるために、初期のキャリア帯域幅部分(BWP)のリソース割振り(RA)サイズを使用させ、
前記初期のBWPの前記RAサイズを使用して前記第1のDCIフォーマットの前記全体のDCIペイロードサイズが前記第2のDCIフォーマットの前記全体のDCIペイロードサイズと一致しない場合、前記第1のDCIフォーマットの前記DCIペイロードの情報をパディングし、または切り取ることによって、前記第1のDCIフォーマットの前記全体のDCIペイロードサイズを、前記第2のDCIフォーマットの前記全体のDCIペイロードサイズへサイズ整合させる、請求項58に記載のコンピュータ可読記憶媒体。
【請求項６６】
前記プログラムコードが、前記コンピュータに、
前記少なくとも2つのDCIフォーマットのうちの第1のDCIフォーマットの全体のDCIペイロードサイズを前記少なくとも2つのDCIフォーマットのうちの第2のDCIフォーマットの全体のDCIペイロードサイズにサイズ整合することを試みるために、アクティブキャリア帯域幅部分(BWP)のリソース割振り(RA)サイズを使用させ、
前記アクティブBWPの前記RAサイズを使用して前記第1のDCIフォーマットの前記全体のDCIペイロードサイズが前記第2のDCIフォーマットの前記全体のDCIペイロードサイズと一致しない場合、前記第1のDCIフォーマットの前記DCIペイロードの情報をパディングし、または切り取ることによって、前記第1のDCIフォーマットの前記全体のDCIペイロードサイズを、前記第2のDCIフォーマットの前記全体のDCIペイロードサイズへサイズ整合させる、請求項58に記載のコンピュータ可読記憶媒体。
【請求項６７】
前記プログラムコードが、前記コンピュータに、
前記少なくとも2つのDCIフォーマットのうちのダウンリンクスケジューリングDCIフォーマットの全体のDCIペイロードサイズにおいて、アクティブダウンリンクキャリア帯域幅部分(BWP)のダウンリンクスケジューリングDCIフォーマットリソース割振り(RA)サイズを使用させ、
前記少なくとも2つのDCIフォーマットのうちのアップリンクスケジューリングDCIフォーマットの全体のDCIペイロードサイズにおいて、アクティブアップリンクBWPのアップリンクスケジューリングDCIフォーマットRAサイズを使用させ、
前記ダウンリンクスケジューリングDCIフォーマットの前記全体のDCIペイロードサイズと前記アップリンクスケジューリングDCIフォーマットの前記ペイロードサイズが一致しない場合、前記アップリンクスケジューリングDCIフォーマットまたは前記ダウンリンクスケジューリングDCIフォーマットのうちの1つの前記DCIペイロードの情報をパディングし、または切り取ることによって、前記ダウンリンクスケジューリングDCIフォーマットと前記アップリンクスケジューリングDCIフォーマットの一方の前記全体のDCIペイロードサイズを、前記アップリンクスケジューリングDCIフォーマットと前記ダウンリンクスケジューリングDCIフォーマットの他方へサイズ整合させる、請求項58に記載のコンピュータ可読記憶媒体。
【請求項６８】
動的なサイズ整合が実行される前記DCIフォーマットのセットのうちの前記少なくとも2つのDCIフォーマットが、アップリンクに関して使用される第1のDCIフォーマットと、前記アップリンクに対応する補助的なアップリンクに関して使用される第2のDCIフォーマットとを備え、前記プログラムコードが、前記コンピュータに、
前記第1のDCIフォーマットと前記第2のDCIフォーマットの一方を、前記第2のDCIフォーマットと前記第1のDCIフォーマットの他方へ、前記第2のDCIフォーマットと前記第1のDCIフォーマットの前記他方に対する構成されるDCIサイズに基づいてサイズ整合させる、請求項58に記載のコンピュータ可読記憶媒体。
【請求項６９】
動的なサイズ整合が実行される前記DCIフォーマットのセットのうちの前記少なくとも2つのDCIフォーマットが、ダウンリンクに関して使用される第1のDCIフォーマットと、前記ダウンリンクと関連付けられるアップリンクに対応する補助的なアップリンクに関して使用される第2のDCIフォーマットとを備え、前記プログラムコードが、前記コンピュータに、
前記第1のDCIフォーマットに対する構成されるDCIサイズに基づいて、前記第2のDCIフォーマットを前記第1のDCIフォーマットへサイズ整合させる、請求項58に記載のコンピュータ可読記憶媒体。
【請求項７０】
動的なサイズ整合が実行される前記DCIフォーマットのセットのうちの前記少なくとも2つのDCIフォーマットが、ダウンリンクに関して使用される第1のDCIフォーマットと、前記ダウンリンクに対応するアップリンクに関して使用される第2のDCIフォーマットと、前記アップリンクに対応する補助的なアップリンクに関して使用される第3のDCIフォーマットとを備え、前記プログラムが、前記コンピュータに、
前記第1のDCIフォーマット、前記第2のDCIフォーマット、および前記第3のDCIフォーマットのうちの2つを、前記第3のDCIフォーマット、前記第2のDCIフォーマット、および前記第1のDCIフォーマットのうちの残りの1つへ、前記第3のDCIフォーマット、前記第2のDCIフォーマット、および前記第1のDCIフォーマットのうちの前記残りの1つに対する構成されるDCIサイズに基づいてサイズ整合させる、請求項58に記載のコンピュータ可読記憶媒体。
【請求項７１】
前記DCIフォーマットのセットが、共通探索空間(CSS)におけるDCIフォーマット0-0および1-0と、UE固有探索空間(USS)におけるDCIフォーマット0-0および1-0とを含み、同時使用のためのDCIフォーマットサイズの数に関する前記制約である、DCIフォーマットサイズの数の予定が、前記DCIフォーマットのセットに関して満たされない場合、少なくとも2つのDCIフォーマットをサイズ整合することが、USSにおけるDCIフォーマット0-0および1-0を、CSSにおけるDCIフォーマット0-0および1-0にサイズ整合することを備える、請求項58に記載のコンピュータ可読記憶媒体。
【請求項７２】
前記DCIフォーマットのセットがDCIフォーマット0-0および1-0を含み、少なくとも2つのDCIフォーマットをサイズ整合することが、
前記DCIフォーマット0-0の全体のDCIペイロードサイズを前記DCIフォーマット1-0の全体のDCIペイロードサイズにサイズ整合することを試みるために、初期のアップリンク帯域幅部分(BWP)のリソース割振り(RA)サイズをサイズ整合することと、
前記初期のアップリンクBWPの前記RAサイズを使用して、前記DCIフォーマット0-0の前記全体のDCIペイロードサイズが前記DCIフォーマット1-0の前記全体のDCIペイロードサイズと一致しない場合、
前記DCIフォーマット0-0の前記DCIペイロードをゼロパディングすることによって、前記DCIフォーマット0-0の前記全体のDCIペイロードサイズを前記DCIフォーマット1-0の前記全体のDCIペイロードサイズにサイズ整合することとを備える、請求項58に記載のコンピュータ可読記憶媒体。
【請求項７３】
前記DCIフォーマットのセットがDCIフォーマット0-0および1-0を含み、少なくとも2つのDCIフォーマットをサイズ整合することが、
前記DCIフォーマット0-0の全体のDCIペイロードサイズを前記DCIフォーマット1-0の全体のDCIペイロードサイズにサイズ整合することを試みるために、アクティブダウンリンク帯域幅部分(BWP)に関するダウンリンクリソース割振り(RA)サイズをサイズ整合し、アクティブアップリンクBWPに関するアップリンクRAサイズをサイズ整合することと、
前記DCIフォーマット0-0の前記全体のDCIペイロードサイズが前記DCIフォーマット1-0の前記全体のDCIペイロードサイズと一致しない場合、
前記DCIフォーマット0-0または前記DCIフォーマット1-0の前記DCIペイロードをゼロパディングすることによって、前記DCIフォーマット0-0の前記全体のDCIペイロードサイズおよび前記DCIフォーマット1-0の前記全体のDCIペイロードサイズをサイズ整合することとを備える、請求項58に記載のコンピュータ可読記憶媒体。
【請求項７４】
少なくとも2つのDCIフォーマットをサイズ整合することが、主要なリンクに関して使用されるDCIフォーマットに対するDCIフォーマットサイズをサイズ整合することと、前記主要なリンクに対する構成されるDCIサイズの最大の構成されるDCIサイズおよび補助的なリンクに対する構成されるDCIサイズに基づいて、前記補助的なリンクに関して使用されるDCIフォーマットに対するDCIフォーマットサイズをサイズ整合することとを備える、請求項58に記載のコンピュータ可読記憶媒体。
【請求項７５】
少なくとも2つのDCIフォーマットをサイズ整合することが、補助的なリンクに関して使用されるDCIフォーマットに対するDCIフォーマットサイズを、対応する主要なリンクに関して使用されるDCIフォーマットに対する構成されるDCIサイズにサイズ整合することを備える、請求項58に記載のコンピュータ可読記憶媒体。
【請求項７６】
少なくとも2つのDCIフォーマットをサイズ整合することが、アクティブ帯域幅部分(BWP)に基づいて、主要なダウンリンクに関して使用されるDCIフォーマットに対するDCIフォーマットサイズ、主要なアップリンクに関して使用されるDCIフォーマットに対するDCIフォーマットサイズ、および補助的なリンクに関して使用されるDCIフォーマットに対するDCIフォーマットサイズをサイズ整合することを備える、請求項58に記載のコンピュータ可読記憶媒体。
【請求項７７】
DCIペイロードを符号化するために使用される識別子が、セル無線ネットワーク一時識別子(C-RNTI)を備える、請求項54に記載のコンピュータ可読記憶媒体。
【請求項７８】
複数のダウンリンク制御情報(DCI)フォーマットを使用するワイヤレス通信のために構成される装置であって、
少なくとも1つのプロセッサと、
前記少なくとも1つのプロセッサに結合されたメモリとを備え、前記少なくとも1つのプロセッサが、
ワイヤレス通信の間の同時使用のための前記複数のDCIフォーマットのうちのDCIフォーマットのセットを決定し、前記複数のDCIフォーマットのうちのDCIフォーマットが異なるサイズとなるように構成可能であり、
同時使用のためのDCIフォーマットサイズの数に関する制約を満たすように、異なるサイズとなるように構成可能である前記DCIフォーマットのセットのうちの少なくとも2つのDCIフォーマットをサイズ整合する
ように構成される、装置。
【請求項７９】
同時使用のためのDCIフォーマットサイズの数に関する前記制約が、同時使用のための前記DCIフォーマットのセットに対するDCIフォーマットサイズの数を、第1の数のDCIサイズパラメータと第2の数のDCIサイズパラメータの両方に制限し、前記第1の数のDCIサイズパラメータが、ワイヤレス通信スロット当たりのDCIフォーマットサイズの総数に基づき、前記第2の数のDCIサイズパラメータが、ワイヤレス通信スロット当たりの識別子を使用して符号化されるDCIペイロードを搬送するために使用されるDCIフォーマットに対するDCIフォーマットサイズの総数に基づく、請求項78に記載の装置。
【請求項８０】
前記第1の数のDCIサイズパラメータが、前記複数のDCIフォーマットのDCIフォーマットの数より小さい、請求項79に記載の装置。
【請求項８１】
前記第1の数のDCIサイズパラメータが、前記第2の数のDCIサイズパラメータより大きい、請求項80に記載の装置。
【請求項８２】
前記サイズ整合が前記ワイヤレス通信の間に動的に実行される、請求項78に記載の装置。
【請求項８３】
前記少なくとも1つのプロセッサが、
前記DCIフォーマットのセットのうちの少なくとも1つのDCIフォーマットが探索される探索空間の監視周期または監視機会に基づいて、前記DCIフォーマットのセットのうちの前記少なくとも2つのDCIフォーマットを動的にサイズ整合するように構成される、請求項82に記載の装置。
【請求項８４】
前記少なくとも1つのプロセッサが、
キャリア帯域幅部分(BWP)切り替えに関して前記DCIフォーマットのセットのうちの前記少なくとも2つのDCIフォーマットを動的にサイズ整合するように構成される、請求項82に記載の装置。
【請求項８５】
動的なサイズ整合が実行される前記DCIフォーマットのセットのうちの前記少なくとも2つのDCIフォーマットが、アップリンクスケジューリングDCIフォーマットおよびダウンリンクスケジューリングDCIフォーマットを備え、前記少なくとも1つのプロセッサが、
前記動的なサイズ整合のために無線リソース制御(RRC)構成を使用するように構成される、請求項82に記載の装置。
【請求項８６】
前記少なくとも1つのプロセッサが、
前記DCIフォーマットのセットが、前記第2の数のDCIサイズパラメータより大きい、ワイヤレス通信スロット当たりの識別子を使用して符号化されるDCIペイロードを搬送するために使用されるDCIフォーマットに対するDCIフォーマットサイズの総数を備えると決定し、
前記DCIフォーマットのセットに対する構成されるDCIサイズに基づいて、前記DCIフォーマットのセットのうちの前記少なくとも2つのDCIフォーマットを動的にサイズ整合する
ように構成される、請求項82に記載の装置。
【請求項８７】
前記少なくとも1つのプロセッサが、
前記DCIフォーマットのセットが、前記第1の数のDCIサイズパラメータより大きい、ワイヤレス通信スロット当たりのDCIフォーマットサイズの総数を備えると決定し、
前記DCIフォーマットのセットに対する構成されるDCIサイズに基づいて、前記DCIフォーマットのセットのうちの前記少なくとも2つのDCIフォーマットを動的にサイズ整合する
ように構成される、請求項82に記載の装置。
【請求項８８】
前記少なくとも1つのプロセッサが、
前記少なくとも2つのDCIフォーマットのうちの第1のDCIフォーマットのリソース割振り(RA)サイズを前記少なくとも2つのDCIフォーマットのうちの第2のDCIフォーマットのRAサイズにサイズ整合し、
前記第1のDCIフォーマットの前記DCIペイロードの情報をパディングし、または切り取ることによって、前記第1のDCIフォーマットの全体のDCIペイロードサイズを前記第2のDCIフォーマットの全体のDCIペイロードサイズにサイズ整合する
ように構成される、請求項82に記載の装置。
【請求項８９】
前記少なくとも1つのプロセッサが、
前記少なくとも2つのDCIフォーマットのうちの第1のDCIフォーマットの全体のDCIペイロードサイズを前記少なくとも2つのDCIフォーマットのうちの第2のDCIフォーマットの全体のDCIペイロードサイズにサイズ整合することを試みるために、初期のキャリア帯域幅部分(BWP)のリソース割振り(RA)サイズを使用し、
前記初期のBWPの前記RAサイズを使用して前記第1のDCIフォーマットの前記全体のDCIペイロードサイズが前記第2のDCIフォーマットの前記全体のDCIペイロードサイズと一致しない場合、前記第1のDCIフォーマットの前記DCIペイロードの情報をパディングし、または切り取ることによって、前記第1のDCIフォーマットの前記全体のDCIペイロードサイズを、前記第2のDCIフォーマットの前記全体のDCIペイロードサイズにサイズ整合する
ように構成される、請求項82に記載の装置。
【請求項９０】
前記少なくとも1つのプロセッサが、
前記少なくとも2つのDCIフォーマットのうちの第1のDCIフォーマットの全体のDCIペイロードサイズを前記少なくとも2つのDCIフォーマットのうちの第2のDCIフォーマットの全体のDCIペイロードサイズにサイズ整合することを試みるために、アクティブキャリア帯域幅部分(BWP)のリソース割振り(RA)サイズを使用し、
前記アクティブBWPの前記RAサイズを使用して前記第1のDCIフォーマットの前記全体のDCIペイロードサイズが前記第2のDCIフォーマットの前記全体のDCIペイロードサイズと一致しない場合、前記第1のDCIフォーマットの前記DCIペイロードの情報をパディングし、または切り取ることによって、前記第1のDCIフォーマットの前記全体のDCIペイロードサイズを、前記第2のDCIフォーマットの前記全体のDCIペイロードサイズにサイズ整合する
ように構成される、請求項82に記載の装置。
【請求項９１】
前記少なくとも1つのプロセッサが、
前記少なくとも2つのDCIフォーマットのうちのダウンリンクスケジューリングDCIフォーマットの全体のDCIペイロードサイズにおいて、アクティブダウンリンクキャリア帯域幅部分(BWP)のダウンリンクスケジューリングDCIフォーマットリソース割振り(RA)サイズを使用し、
前記少なくとも2つのDCIフォーマットのうちのアップリンクスケジューリングDCIフォーマットの全体のDCIペイロードサイズにおいて、アクティブアップリンクBWPのアップリンクスケジューリングDCIフォーマットRAサイズを使用し、
前記ダウンリンクスケジューリングDCIフォーマットの前記全体のDCIペイロードサイズと前記アップリンクスケジューリングDCIフォーマットの前記ペイロードサイズが一致しない場合、前記アップリンクスケジューリングDCIフォーマットまたは前記ダウンリンクスケジューリングDCIフォーマットのうちの1つの前記DCIペイロードの情報をパディングし、または切り取ることによって、前記ダウンリンクスケジューリングDCIフォーマットと前記アップリンクスケジューリングDCIフォーマットの一方の前記全体のDCIペイロードサイズを、前記アップリンクスケジューリングDCIフォーマットと前記ダウンリンクスケジューリングDCIフォーマットの他方にサイズ整合する
ように構成される、請求項82に記載の装置。
【請求項９２】
動的なサイズ整合が実行される前記DCIフォーマットのセットのうちの前記少なくとも2つのDCIフォーマットが、アップリンクに関して使用される第1のDCIフォーマットと、前記アップリンクに対応する補助的なアップリンクに関して使用される第2のDCIフォーマットとを備え、前記少なくとも1つのプロセッサが、
前記第1のDCIフォーマットと前記第2のDCIフォーマットの一方を、前記第2のDCIフォーマットと前記第1のDCIフォーマットの他方に、前記第2のDCIフォーマットと前記第1のDCIフォーマットの前記他方に対する構成されるDCIサイズに基づいてサイズ整合するように構成される、請求項82に記載の装置。
【請求項９３】
動的なサイズ整合が実行される前記DCIフォーマットのセットのうちの前記少なくとも2つのDCIフォーマットが、ダウンリンクに関して使用される第1のDCIフォーマットと、前記ダウンリンクと関連付けられるアップリンクに対応する補助的なアップリンクに関して使用される第2のDCIフォーマットとを備え、前記少なくとも1つのプロセッサが、
前記第1のDCIフォーマットに対する構成されるDCIサイズに基づいて、前記第2のDCIフォーマットを前記第1のDCIフォーマットにサイズ整合するように構成される、請求項82に記載の装置。
【請求項９４】
動的なサイズ整合が実行される前記DCIフォーマットのセットのうちの前記少なくとも2つのDCIフォーマットが、ダウンリンクに関して使用される第1のDCIフォーマットと、前記ダウンリンクに対応するアップリンクに関して使用される第2のDCIフォーマットと、前記アップリンクに対応する補助的なアップリンクに関して使用される第3のDCIフォーマットとを備え、前記少なくとも1つのプロセッサが、
前記第1のDCIフォーマット、前記第2のDCIフォーマット、および前記第3のDCIフォーマットのうちの2つを、前記第3のDCIフォーマット、前記第2のDCIフォーマット、および前記第1のDCIフォーマットのうちの残りの1つへ、前記第3のDCIフォーマット、前記第2のDCIフォーマット、および前記第1のDCIフォーマットのうちの前記残りの1つに対する構成されるDCIサイズに基づいてサイズ整合するように構成される、請求項82に記載の装置。
【請求項９５】
前記DCIフォーマットのセットが、共通探索空間(CSS)におけるDCIフォーマット0-0および1-0と、UE固有探索空間(USS)におけるDCIフォーマット0-0および1-0とを含み、前記少なくとも1つのプロセッサが、
同時使用のためのDCIフォーマットサイズの数に関する前記制約であるDCIフォーマットサイズの数の予定が前記DCIフォーマットのセットに関して満たされない場合、USSにおけるDCIフォーマット0-0および1-0をCSSにおけるDCIフォーマット0-0および1-0にサイズ整合することを備える、少なくとも2つのDCIフォーマットをサイズ整合することを行うように構成される、請求項82に記載の装置。
【請求項９６】
前記DCIフォーマットのセットがDCIフォーマット0-0および1-0を含み、少なくとも2つのDCIフォーマットをサイズ整合するように構成される前記少なくとも1つのプロセッサが、
前記DCIフォーマット0-0の全体のDCIペイロードサイズを前記DCIフォーマット1-0の全体のDCIペイロードサイズにサイズ整合することを試みるために、初期のアップリンク帯域幅部分(BWP)のリソース割振り(RA)サイズをサイズ整合し、
前記初期のアップリンクBWPの前記RAサイズを使用して、前記DCIフォーマット0-0の前記全体のDCIペイロードサイズが前記DCIフォーマット1-0の前記全体のDCIペイロードサイズと一致しない場合、
前記DCIフォーマット0-0の前記DCIペイロードをゼロパディングすることによって、前記DCIフォーマット0-0の前記全体のDCIペイロードサイズを前記DCIフォーマット1-0の前記全体のDCIペイロードサイズにサイズ整合する
ように構成される、請求項82に記載の装置。
【請求項９７】
前記DCIフォーマットのセットがDCIフォーマット0-0および1-0を含み、少なくとも2つのDCIフォーマットをサイズ整合するように構成される前記少なくとも1つのプロセッサが、
前記DCIフォーマット0-0の全体のDCIペイロードサイズを前記DCIフォーマット1-0の全体のDCIペイロードサイズにサイズ整合することを試みるために、アクティブダウンリンク帯域幅部分(BWP)に関するダウンリンクリソース割振り(RA)サイズをサイズ整合し、アクティブアップリンクBWPに関するアップリンクRAサイズをサイズ整合し、
前記DCIフォーマット0-0の前記全体のDCIペイロードサイズが前記DCIフォーマット1-0の前記全体のDCIペイロードサイズと一致しない場合、
前記DCIフォーマット0-0または前記DCIフォーマット1-0の前記DCIペイロードをゼロパディングすることによって、前記DCIフォーマット0-0の前記全体のDCIペイロードサイズおよび前記DCIフォーマット1-0の前記全体のDCIペイロードサイズをサイズ整合する
ように構成される、請求項82に記載の装置。
【請求項９８】
少なくとも2つのDCIフォーマットをサイズ整合するように構成される前記少なくとも1つのプロセッサが、
主要なリンクに関して使用されるDCIフォーマットに対するDCIフォーマットサイズをサイズ整合し、前記主要なリンクに対する構成されるDCIサイズの最大の構成されるDCIサイズおよび補助的なリンクに対する構成されるDCIサイズに基づいて、前記補助的なリンクに関して使用されるDCIフォーマットに対するDCIフォーマットサイズをサイズ整合するように構成される、請求項82に記載の装置。
【請求項９９】
少なくとも2つのDCIフォーマットをサイズ整合するように構成される前記少なくとも1つのプロセッサが、
補助的なリンクに関して使用されるDCIフォーマットに対するDCIフォーマットサイズを、対応する主要なリンクに関して使用されるDCIフォーマットに対する構成されるDCIサイズにサイズ整合するように構成される、請求項82に記載の装置。
【請求項１００】
少なくとも2つのDCIフォーマットをサイズ整合するように構成される前記少なくとも1つのプロセッサが、
アクティブ帯域幅部分(BWP)に基づいて、主要なダウンリンクに関して使用されるDCIフォーマットに対するDCIフォーマットサイズ、主要なアップリンクに関して使用されるDCIフォーマットに対するDCIフォーマットサイズ、および補助的なリンクに関して使用されるDCIフォーマットに対するDCIフォーマットサイズをサイズ整合するように構成される、請求項82に記載の装置。
【請求項１０１】
DCIペイロードを符号化するために使用される識別子が、セル無線ネットワーク一時識別子(C-RNTI)を備える、請求項78に記載の装置。
【発明の詳細な説明】
【技術分野】
【０００１】
関連出願の相互参照
本出願は、2018年3月23日に出願された「SYSTEMS AND METHODS FOR DOWNLINK CONTROL INFORMATION FORMAT SIZING」という表題の米国仮特許出願第62/647,593号、および2019年3月21日に出願された「SYSTEMS AND METHODS FOR DOWNLINK CONTROL INFORMATION FORMAT SIZING」という表題の米国特許出願第16/360,961号の利益を主張し、これらの特許出願全体が参照によって本明細書に明確に組み込まれる。
【０００２】
本開示の態様は一般に、ワイヤレス通信システムに関し、より詳細には、同時使用のためのDCIフォーマットのセットに対するDCIフォーマットサイズの数を制限することなどのために、異なるサイズとなるように構成可能なダウンリンク制御情報(DCI)フォーマットをサイズ整合することに関する。
【背景技術】
【０００３】
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常は多元接続ネットワークであるそのようなネットワークは、利用可能なネットワークリソースを共有することによって、複数のユーザのための通信をサポートする。そのようなネットワークの一例が、Universal Terrestrial Radio Access Network(UTRAN)である。UTRANは、第3世代パートナーシッププロジェクト(3GPP)によってサポートされる第3世代(3G)携帯電話技術である、Universal Mobile Telecommunications System(UMTS)の一部として定められた無線アクセスネットワーク(RAN)である。多元接続ネットワークフォーマットの例は、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークを含む。
【０００４】
ワイヤレス通信ネットワークは、ある数のユーザ機器(UE)のための通信をサポートすることができる、ある数の基地局またはノードBを含み得る。UEは、ダウンリンクおよびアップリンクを介して基地局と通信し得る。ダウンリンク(または、順方向リンク)は基地局からUEへの通信リンクを指し、アップリンク(または、逆方向リンク)はUEから基地局への通信リンクを指す。
【０００５】
基地局は、ダウンリンク上でUEにデータおよび制御情報を送信してもよく、かつ/または、アップリンク上でUEからデータおよび制御情報を受信してもよい。ダウンリンク上では、基地局からの送信は、近隣基地局からの、または他のワイヤレス無線周波数(RF)送信機からの送信に起因する干渉を受けることがある。アップリンク上では、UEからの送信は、近隣基地局と通信する他のUEのアップリンク送信からの、または他のワイヤレスRF送信機からの干渉を受けることがある。この干渉は、ダウンリンクとアップリンクの両方において性能を低下させることがある。
【０００６】
モバイルブロードバンドアクセスに対する需要が増加し続けるにつれて、より多くのUEが長距離ワイヤレス通信ネットワークにアクセスするとともに、より多くの短距離ワイヤレスシステムが地域に展開されて、干渉およびネットワークの輻輳の可能性が大きくなる。モバイルブロードバンドアクセスに対する増大する需要を満たすためだけでなく、モバイル通信のユーザ体験を進化および向上させるために、ワイヤレス技術を進化させるための研究および開発が続いている。
【０００７】
モバイルブロードバンドアクセスに対する需要にサポートするために、様々なワイヤレス通信システムによって実装されるワイヤレス技術が、リソース割振りに関してかなりの柔軟性をもたらしてきた。しかしながら、そのような柔軟性には、使用されている具体的なリソース割振り構成を決定するワイヤレス通信をデバイスが行うことに関する課題がある。したがって、リソース割振り構成に関する詳細な情報(たとえば、許可、送信タイミング、リソースブロック割当て、復調方式、アンテナビーム情報など)を搬送するために、ダウンリンク制御情報(DCI)が利用されてきた。いくつかのワイヤレス通信シナリオに関連する異なる制御情報セットの提供を受け入れることなどのために、ある数の異なるDCIフォーマットが提供されることがある。異なる制御情報セットを受け入れることなどのために、それらのDCIフォーマットのうちの様々なフォーマットが異なるサイズであることがある。
【発明の概要】
【課題を解決するための手段】
【０００８】
本開示の一態様では、複数のダウンリンク制御情報(DCI)フォーマットを使用するワイヤレス通信の方法が提供される。実施形態の方法は、ワイヤレス通信の間の同時使用のための複数のDCIフォーマットのうちのDCIフォーマットのセットを決定するステップを含むことがあり、それらの複数のDCIフォーマットのうちのいくつかのDCIフォーマットは異なるサイズとなるように構成可能である。実施形態の方法はまた、同時使用のためのDCIフォーマットサイズの数に関する制約を満たすように、異なるサイズとなるように構成可能であるDCIフォーマットのセットのうちの少なくとも2つのDCIフォーマットをサイズ整合するステップを含み得る。同時使用のためのDCIフォーマットサイズの数に関する制約は、同時使用のためのDCIフォーマットのセットに対するDCIフォーマットサイズの数を、第1の数のDCIサイズパラメータ(first number of DCI sizes parameter)と第2の数のDCIサイズパラメータの両方に制限することがあり、第1の数のDCIサイズパラメータは、ワイヤレス通信スロット当たりのDCIフォーマットサイズの総数に基づき、第2の数のDCIサイズパラメータは、ワイヤレス通信スロット当たりの識別子を使用して符号化されるDCIペイロードを搬送するために使用されるDCIフォーマットに対するDCIフォーマットサイズの総数に基づく。
【０００９】
本開示の追加の態様では、複数のダウンリンク制御情報(DCI)フォーマットを使用するワイヤレス通信のために構成される装置が提供される。実施形態の装置は、ワイヤレス通信の間の同時使用のための複数のDCIフォーマットのうちのDCIフォーマットのセットを決定するための手段を含むことがあり、それらの複数のDCIフォーマットのうちのいくつかのDCIフォーマットは異なるサイズとなるように構成可能である。実施形態の装置はまた、同時使用のためのDCIフォーマットサイズの数に関する制約を満たすように、異なるサイズとなるように構成可能であるDCIフォーマットのセットのうちの少なくとも2つのDCIフォーマットをサイズ整合するための手段を含み得る。同時使用のためのDCIフォーマットサイズの数に関する制約は、同時使用のためのDCIフォーマットのセットに対するDCIフォーマットサイズの数を、第1の数のDCIサイズパラメータと第2の数のDCIサイズパラメータの両方に制限することがあり、第1の数のDCIサイズパラメータは、ワイヤレス通信スロット当たりのDCIフォーマットサイズの総数に基づき、第2の数のDCIサイズパラメータは、ワイヤレス通信スロット当たりの識別子を使用して符号化されるDCIペイロードを搬送するために使用されるDCIフォーマットに対するDCIフォーマットサイズの総数に基づく。
【００１０】
本開示の追加の態様では、複数のダウンリンク制御情報(DCI)フォーマットを使用するワイヤレス通信のためのプログラムコードが記録されている非一時的コンピュータ可読媒体が提供され得る。実施形態のプログラムコードは、ワイヤレス通信の間の同時使用のための複数のDCIフォーマットのうちのDCIフォーマットのセットを決定するためのコードを含むことがあり、それらの複数のDCIフォーマットのうちのいくつかのDCIフォーマットは異なるサイズとなるように構成可能である。実施形態のプログラムコードはまた、同時使用のためのDCIフォーマットサイズの数に関する制約を満たすように、異なるサイズとなるように構成可能であるDCIフォーマットのセットのうちの少なくとも2つのDCIフォーマットをサイズ整合するためのコードを含み得る。同時使用のためのDCIフォーマットサイズの数に関する制約は、同時使用のためのDCIフォーマットのセットに対するDCIフォーマットサイズの数を、第1の数のDCIサイズパラメータと第2の数のDCIサイズパラメータの両方に制限することがあり、第1の数のDCIサイズパラメータは、ワイヤレス通信スロット当たりのDCIフォーマットサイズの総数に基づき、第2の数のDCIサイズパラメータは、ワイヤレス通信スロット当たりの識別子を使用して符号化されるDCIペイロードを搬送するために使用されるDCIフォーマットに対するDCIフォーマットサイズの総数に基づく。
【００１１】
本開示の追加の態様では、複数のダウンリンク制御情報(DCI)フォーマットを使用するワイヤレス通信のために構成される装置が提供される。装置は、少なくとも1つのプロセッサと、プロセッサに結合されたメモリとを含む。実施形態のプロセッサは、ワイヤレス通信の間の同時使用のための複数のDCIフォーマットのうちのDCIフォーマットのセットを決定するように構成されることがあり、それらの複数のDCIフォーマットのうちのいくつかのDCIフォーマットは異なるサイズとなるように構成可能である。実施形態のプロセッサはまた、同時使用のためのDCIフォーマットサイズの数に関する制約を満たすように、異なるサイズとなるように構成可能であるDCIフォーマットのセットのうちの少なくとも2つのDCIフォーマットをサイズ整合するように構成され得る。同時使用のためのDCIフォーマットサイズの数に関する制約は、同時使用のためのDCIフォーマットのセットに対するDCIフォーマットサイズの数を、第1の数のDCIサイズパラメータと第2の数のDCIサイズパラメータの両方に制限することがあり、第1の数のDCIサイズパラメータは、ワイヤレス通信スロット当たりのDCIフォーマットサイズの総数に基づき、第2の数のDCIサイズパラメータは、ワイヤレス通信スロット当たりの識別子を使用して符号化されるDCIペイロードを搬送するために使用されるDCIフォーマットに対するDCIフォーマットサイズの総数に基づく。
【００１２】
上記は、以下の発明を実施するための形態がより良く理解され得るように、本開示による例の特徴および技術的利点をかなり広範に概説している。追加の特徴および利点が以下で説明される。開示される概念および具体例は、本開示の同じ目的を実行するために他の構造を修正または設計するための基礎として容易に利用され得る。そのような等価な構造は、添付の特許請求の範囲から逸脱しない。本明細書で開示される概念の特性、それらの編成と動作方法の両方が、添付の図面に関連して検討されれば、以下の説明から、関連する利点とともにより良く理解されるであろう。図の各々は、特許請求の範囲の制限について定めるものとしてではなく、例示および説明のために提供される。
【００１３】
本開示の本質および利点のさらなる理解は、以下の図面を参照することによって実現され得る。添付の図面では、同様の構成要素または特徴は、同じ参照ラベルを有し得る。さらに、同じタイプの様々な構成要素は、参照ラベルの後、ダッシュと、同様の構成要素を区別する第2のラベルとを続けることによって区別され得る。本明細書において第1の参照ラベルのみが使用される場合、説明は、第2の参照ラベルにかかわらず、同じ第1の参照ラベルを有する同様の構成要素のいずれか1つに適用可能である。
【図面の簡単な説明】
【００１４】
【図１】ワイヤレス通信システムの詳細を示すブロック図である。
【図２】本開示の態様に従って構成された基地局およびUEの設計を示すブロック図である。
【図３】本開示の態様による、ワイヤレス通信システムによって提供されるワイヤレス通信に関するタイミング図の例である。
【図４】本開示の態様による、ダウンリンク制御情報フォーマットのサイズ整合を実行するための動作を示す流れ図である。
【図５Ａ】本開示の態様による、初期のキャリア帯域幅部分に基づくサイズ整合の例を示す図である。
【図５Ｂ】本開示の態様による、初期のキャリア帯域幅部分に基づくサイズ整合の例を示す図である。
【発明を実施するための形態】
【００１５】
添付の図面および付録に関して以下に記載される詳細な説明は、様々な構成の説明として意図されており、本開示の範囲を限定することは意図されていない。むしろ、詳細な説明は、本発明の主題の完全な理解をもたらすための具体的な詳細を含む。これらの具体的な詳細がすべての場合において必要とされるとは限らないこと、ならびにいくつかの事例では、提示を明快にするために、よく知られている構造および構成要素がブロック図の形態で示されることが、当業者に明らかになろう。
【００１６】
本開示は、一般に、ワイヤレス通信ネットワークとも呼ばれる、2つ以上のワイヤレス通信システムの間の許可された共有アクセスを提供すること、またはそれに参加することに関する。様々な実施形態では、技法および装置は、符号分割多元接続(CDMA)ネットワーク、時分割多元接続(TDMA)ネットワーク、周波数分割多元接続(FDMA)ネットワーク、直交FDMA(OFDMA)ネットワーク、シングルキャリアFDMA(SC-FDMA)ネットワーク、LTEネットワーク、GSMネットワーク、第5世代(5G)またはnew radio(NR)ネットワーク、ならびに他の通信ネットワークなどのワイヤレス通信ネットワークのために使用され得る。本明細書で説明される「ネットワーク」および「システム」という用語は、互換的に使用され得る。
【００１７】
OFDMAネットワークは、発展型UTRA(E-UTRA)、IEEE802.11、IEEE802.16、IEEE802.20、flash-OFDMなどの無線技術を実装し得る。UTRA、E-UTRA、およびGlobal System for Mobile Communications(GSM)は、universal mobile telecommunication system(UMTS)の一部である。具体的には、long term evolution(LTE)は、E-UTRAを使用するUMTSのリリースである。UTRA、E-UTRA、GSM、UMTS、およびLTEは、「第3世代パートナーシッププロジェクト」(3GPP)という名称の団体から提供された文書に記載されており、cdma2000は、「第3世代パートナーシッププロジェクト2」(3GPP2)という名称の団体からの文書に記載されている。これらの様々な無線技術および規格は、知られているか、または開発中である。たとえば、第3世代パートナーシッププロジェクト(3GPP)は、世界的に適用可能な第3世代(3G)携帯電話仕様を定義することを目的とする電気通信協会のグループ間の共同作業である。3GPP long term evolution(LTE)は、universal mobile telecommunications system(UMTS)携帯電話規格を改善することを目的とした3GPPプロジェクトである。3GPPは、次世代のモバイルネットワーク、モバイルシステム、およびモバイルデバイスのための仕様を定義することがある。本開示は、新たな異なる無線アクセス技術または無線エアインターフェースの集合体を使用するネットワーク間のワイヤレススペクトルへの共有アクセスを伴う、LTE、4G、5G、NR、およびそれら以降からのワイヤレス技術の発展に関係する。
【００１８】
具体的には、5Gネットワークは、OFDMベースの統合されたエアインターフェースを使用して実装され得る多様な展開、多様なスペクトル、ならびに多様なサービスおよびデバイスを企図する。これらの目標を達成するために、LTEおよびLTE-Aに対するさらなる拡張が、5G NRネットワークに対するnew radio技術の発展に加えて考慮される。5G NRは、(1)超高密度(たとえば、約100万ノード/km2)、超低複雑度(たとえば、約数十ビット/秒)、超低エネルギー(たとえば、約10年以上のバッテリー寿命)、および困難な位置に到達する能力を有する深いカバレッジを有する、マッシブInternet of Things(IoT)への、(2)慎重な扱いを要する個人情報、金融情報、または機密情報を保護するための強力なセキュリティ、超高信頼性(たとえば、約99.9999%の信頼性)、超低レイテンシ(たとえば、約1ms)、および広いモビリティの範囲を有するか、またはそれを欠くユーザを伴うミッションクリティカルな制御を含み、かつ(3)極めて大容量(たとえば、約10Tbps/km2)、極端なデータレート(たとえば、マルチGbpsレート、100Mbps以上のユーザが体験するレート)、ならびに先進的な発見および最適化に対する深い認識を含む拡張モバイルブロードバンドを伴う、カバレッジを提供するように、スケーリングすることが可能となる。
【００１９】
5G NRは、スケーラブルなヌメロロジーおよび送信時間間隔(TTI)を伴い、動的な低レイテンシ時分割複信(TDD)/周波数分割複信(FDD)設計とともにサービスおよび機能を効率的に多重化するための共通の柔軟な枠組みを有し、かつマッシブ多入力多出力(MIMO)、ロバストなミリ波(mmWave)送信、先進的なチャネルコーディング、およびデバイス中心のモビリティなどの先進的なワイヤレス技術を伴う、最適化されたOFDMベースの波形を使用するように実装され得る。サブキャリア間隔のスケーリングを伴う、5G NRにおけるヌメロロジーのスケーラビリティは、多様なスペクトルおよび多様な展開にわたって多様なサービスを動作させることに効率的に対処し得る。たとえば、3GHz未満のFDD/TDD実装の様々な屋外およびマクロカバレッジ展開では、サブキャリア間隔は、たとえば、1、5、10、20MHzなどの帯域幅にわたって、15kHzで生じ得る。3GHzを超えるTDDの他の様々な屋外およびスモールセルカバレッジ展開の場合、サブキャリア間隔は、80/100MHzの帯域幅にわたって、30kHzで生じ得る。5GHz帯域の免許不要部分でTDDを使用する他の様々な屋内広帯域実装の場合、サブキャリア間隔は、160MHzの帯域幅にわたって、60kHzで生じ得る。最後に、28GHzのTDDにおいてミリ波成分で送信する様々な展開の場合、サブキャリア間隔は、500MHzの帯域幅にわたって、120kHzで生じ得る。
【００２０】
5G NRのスケーラブルなヌメロロジーは、多様なレイテンシおよびサービス品質(QoS)要件のためのスケーラブルなTTIを容易にする。たとえば、低レイテンシおよび高信頼性のためにより短いTTIが使用され得るが、より高いスペクトル効率のためにより長いTTIが使用され得る。長いTTIと短いTTIとの効率的な多重化により、シンボル境界上で送信が開始することが可能になる。5G NRはまた、同じサブフレームにおけるアップリンク/ダウンリンクスケジューリング情報、データ、および確認応答を伴う自己完結的な統合されたサブフレーム設計を企図する。自己完結的な統合されたサブフレームは、免許不要またはコンテンションベースの共有スペクトル、現在のトラフィック需要を満たすためにアップリンクとダウンリンクとの間で動的に切り替えるようにセルごとに柔軟に構成され得る適応的アップリンク/ダウンリンクにおける通信をサポートする。
【００２１】
本開示の様々な他の態様および特徴が、以下でさらに説明される。本明細書の教示が多種多様な形態で具現され得ること、および本明細書で開示されつつある任意の特定の構造、機能、またはその両方が、代表的なものにすぎず限定的でないことは、明らかであろう。本明細書の教示に基づいて、本明細書で開示される態様が任意の他の態様とは無関係に実装され得ること、およびこれらの態様のうちの2つ以上が様々なやり方で組み合わせられ得ることを、当業者は理解されよう。たとえば、本明細書に記載される任意の数の態様を使用して、装置が実装されてもよく、または方法が実践されてもよい。加えて、本明細書に記載される態様のうちの1つまたは複数に加えて、またはそれら以外に、他の構造、機能、または構造および機能を使用して、そのような装置が実装されてもよく、またはそのような方法が実践されてもよい。たとえば、システム、デバイス、装置の一部として、かつ/またはプロセッサもしくはコンピュータ上で実行するためのコンピュータ可読媒体上に記憶された命令として、方法が実施されてもよい。さらに、ある態様は、特許請求の範囲の少なくとも1つの要素を備え得る。
【００２２】
図1は、本開示の態様に従って構成された様々な基地局およびUEを含む5Gネットワーク100を示すブロック図である。5Gネットワーク100は、いくつかの基地局105および他のネットワークエンティティを含む。基地局は、UEと通信する局であってもよく、発展型ノードB(eNB)、次世代eNB(gNB)、アクセスポイントなどと呼ばれることもある。各基地局105は、特定の地理的エリアに通信カバレッジを提供し得る。3GPPでは、「セル」という用語は、この用語が使用される文脈に応じて、カバレッジエリアにサービスしている基地局および/または基地局サブシステムのこの特定の地理的カバレッジエリアを指すことができる。
【００２３】
基地局は、マクロセル、またはピコセルもしくはフェムトセルなどのスモールセル、および/あるいは他のタイプのセルに通信カバレッジを提供し得る。マクロセルは、一般に、比較的大きい地理的エリア(たとえば、半径数キロメートル)をカバーし、ネットワークプロバイダのサービスに加入しているUEによる無制限アクセスを可能にし得る。ピコセルなどのスモールセルは、一般に、比較的小さい地理的エリアをカバーし、ネットワークプロバイダのサービスに加入しているUEによる無制限アクセスを可能にし得る。フェムトセルなどのスモールセルも、一般に、比較的小さい地理的エリア(たとえば、自宅)をカバーし、無制限アクセスに加えて、フェムトセルとの関連を有するUE(たとえば、限定加入者グループ(CSG)の中のUE、自宅の中のユーザのUEなど)による制限付きアクセスも提供し得る。マクロセルのための基地局は、マクロ基地局と呼ばれることがある。スモールセルのための基地局は、スモールセル基地局、ピコ基地局、フェムト基地局、またはホーム基地局と呼ばれることがある。図1に示される例では、基地局105dおよび105eは、通常のマクロ基地局であるが、基地局105a〜105cは、3次元(3D)MIMO、全次元(FD:full dimension)MIMO、またはマッシブMIMOのうちの1つで有効化されたマクロ基地局である。基地局105a〜105cは、それらのより高次元のMIMO能力を利用して、高度ビームフォーミングと方位ビームフォーミングの両方で3Dビームフォーミングを活用し、カバレッジおよび容量を増大させる。基地局105fは、ホームノードまたはポータブルアクセスポイントであり得るスモールセル基地局である。基地局は、1つまたは複数(たとえば、2つ、3つ、4つなど)のセルをサポートし得る。
【００２４】
5Gネットワーク100は、同期動作または非同期動作をサポートし得る。同期動作の場合、基地局は、類似のフレームタイミングを有することがあり、異なる基地局からの送信は、時間的にほぼ揃っていることがある。非同期動作の場合、基地局は異なるフレームタイミングを有することがあり、異なる基地局からの送信は、時間的に揃っていないことがある。
【００２５】
UE115は、ワイヤレスネットワーク100全体にわたって分散され、各UEは固定式または移動式であり得る。UEは、端末、移動局、加入者ユニット、局などと呼ばれることもある。UEは、携帯電話、携帯情報端末(PDA)、ワイヤレスモデム、ワイヤレス通信デバイス、ハンドヘルドデバイス、タブレットコンピュータ、ラップトップコンピュータ、コードレス電話、ワイヤレスローカルループ(WLL)局などであり得る。一態様では、UEは、Universal Integrated Circuit Card(UICC)を含むデバイスであり得る。別の態様では、UEは、UICCを含まないデバイスであり得る。いくつかの態様では、UICCを含まないUEは、internet of everything(IoE)デバイスと呼ばれることもある。UE115a〜UE115dは、5Gネットワーク100にアクセスするモバイルスマートフォンタイプのデバイスの例である。UEはまた、マシンタイプ通信(MTC)、拡張MTC(eMTC)、狭帯域IoT(NB-IoT)などを含む、接続された通信のために特に構成された機械であり得る。UE115e〜115kは、5Gネットワーク100にアクセスする通信のために構成された様々な機械の例である。UEは、マクロ基地局であろうとスモールセルなどであろうと、任意のタイプの基地局と通信することが可能であり得る。図1では、稲妻(たとえば、通信リンク)は、UEと、ダウンリンクおよび/もしくはアップリンク上でUEにサービスするように指定された基地局であるサービング基地局との間のワイヤレス送信、または基地局間の所望の送信、ならびに基地局間のバックホール送信を示す。
【００２６】
5Gネットワーク100の動作において、基地局105a〜105cは、3Dビームフォーミングおよび多地点協調(CoMP)またはマルチ接続などの協調空間技法を使用して、UE115aおよび115bにサービスする。マクロ基地局105dは、基地局105a〜105c、ならびにスモールセル基地局105fとのバックホール通信を実行する。マクロ基地局105dはまた、UE115cおよび115dが加入し受信するマルチキャストサービスを送信する。そのようなマルチキャストサービスは、モバイルテレビジョンまたはストリームビデオを含んでもよく、あるいは、気象緊急事態、またはアンバーアラートもしくはグレーアラートなどの警報などの、地域情報を提供するための他のサービスを含んでもよい。
【００２７】
5Gネットワーク100はまた、ドローンであるUE115eなどの、ミッションクリティカルなデバイスのための超高信頼かつ冗長なリンクを用いたミッションクリティカルな通信をサポートする。UE115eとの冗長な通信リンクは、マクロ基地局105dおよび105e、ならびにスモールセル基地局105fからのものを含む。UE115f(温度計)、UE115g(スマートメータ)、およびUE115h(ウェアラブルデバイス)などの他のマシン型デバイスは、5Gネットワーク100を通じてスモールセル基地局105fおよびマクロ基地局105eなどの基地局と直接、またはマルチホップ構成においてその情報をネットワークに中継する別のユーザデバイスと通信することによって、たとえばUE115fが温度測定情報をスマートメータUE115gに通信し、次いでその情報がスモールセル基地局105fを通じてネットワークに報告されるなどによって通信し得る。5Gネットワーク100はまた、マクロ基地局105eと通信するUE115i〜115kの間の車両間(V2V)メッシュネットワークなどにおいて、動的な低レイテンシTDD/FDD通信を通じてさらなるネットワーク効率をもたらし得る。
【００２８】
図2は、図1における基地局のうちの1つおよびUEのうちの1つであり得る、基地局105およびUE115の設計のブロック図を示す。基地局105において、送信プロセッサ220は、データソース212からデータを受信し、コントローラ/プロセッサ240から制御情報を受信することができる。制御情報は、PBCH、PCFICH、PHICH、PDCCH、EPDCCH、MPDCCHなどに対するものであり得る。データはPDSCHなどに対するものであり得る。送信プロセッサ220は、データシンボルおよび制御シンボルを取得するために、それぞれ、データおよび制御情報を処理する(たとえば、符号化してシンボルマッピングする)ことができる。送信プロセッサ220はまた、たとえば、PSS、SSS、およびセル固有基準信号のための基準シンボルを生成することができる。送信(TX)多入力多出力(MIMO)プロセッサ230は、適用可能な場合、データシンボル、制御シンボル、および/または基準シンボルに対して空間処理(たとえば、プリコーディング)を実行することができ、出力シンボルストリームを変調器(MOD)232a〜232tに提供することができる。各変調器232は、(たとえば、OFDMなどのために)それぞれの出力シンボルストリームを処理して出力サンプルストリームを取得することができる。各変調器232は、出力サンプルストリームをさらに処理(たとえば、アナログに変換、増幅、フィルタリング、およびアップコンバート)して、ダウンリンク信号を取得することができる。変調器232a〜232tからのダウンリンク信号は、それぞれ、アンテナ234a〜234tを介して送信され得る。
【００２９】
UE115において、アンテナ252a〜252rは、基地局105からダウンリンク信号を受信することができ、それぞれ、受信された信号を復調器(DEMOD)254a〜254rに提供することができる。各復調器254は、それぞれの受信された信号を調整(たとえば、フィルタリング、増幅、ダウンコンバート、およびデジタル化)して、入力サンプルを取得することができる。各復調器254は、(たとえば、OFDMなどのために)入力サンプルをさらに処理して、受信されたシンボルを取得することができる。MIMO検出器256は、すべての復調器254a〜254rから受信されたシンボルを取得し、該当する場合、受信されたシンボルに対してMIMO検出を実行し、検出されたシンボルを提供することができる。受信プロセッサ258は、検出されたシンボルを処理(たとえば、復調、デインターリーブ、および復号)し、UE115のための復号されたデータをデータシンク260に提供し、復号された制御情報をコントローラ/プロセッサ280に提供することができる。
【００３０】
アップリンク上では、UE115において、送信プロセッサ264が、データソース262から(たとえば、PUSCHのための)データを、およびコントローラ/プロセッサ280から(たとえば、PUCCHのための)制御情報を、受信して処理することができる。送信プロセッサ264は、基準信号のための基準シンボルを生成することもできる。送信プロセッサ264からのシンボルは、該当する場合、TX MIMOプロセッサ266によってプリコーディングされ、(たとえばSC-FDMなどのために)変調器254a〜254rによってさらに処理され、基地局105に送信され得る。基地局105において、UE115からのアップリンク信号は、アンテナ234によって受信され、復調器232によって処理され、該当する場合、MIMO検出器236によって検出され、受信プロセッサ238によってさらに処理されて、UE115によって送信された復号されたデータおよび制御情報を取得することができる。プロセッサ238は、復号されたデータをデータシンク239に提供し、復号された制御情報をコントローラ/プロセッサ240に提供することができる。
【００３１】
コントローラ/プロセッサ240および280は、それぞれ、基地局105およびUE115における動作を指示することができる。基地局105におけるコントローラ/プロセッサ240ならびに/または他のプロセッサおよびモジュールは、本明細書で説明される技法のための様々なプロセスの実行を実施または指示することができる。UE115におけるコントローラ/プロセッサ280ならびに/または他のプロセッサおよびモジュールも、図4に示される機能ブロック、および/または本明細書で説明される技法のための他のプロセスの実行を実施または指示することができる。メモリ242および282は、それぞれ基地局105およびUE115のためのデータおよびプログラムコードを記憶することができる。スケジューラ244は、ダウンリンクおよび/またはアップリンク上でのデータ送信のためにUEをスケジューリングすることができる。
【００３２】
異なるネットワーク運用エンティティ(たとえば、ネットワーク事業者)によって運用されるワイヤレス通信システムは、スペクトルを共有し得る。いくつかの事例では、ネットワーク運用エンティティは、別のネットワーク運用エンティティが指定された共有スペクトルの全体を異なる時間期間にわたって使用する前に、指定された共有スペクトルの全体を少なくともある時間期間にわたって使用するように構成され得る。したがって、ネットワーク運用エンティティに、完全な指定された共有スペクトルの使用を許可するために、および異なるネットワーク運用エンティティの間の干渉通信を緩和するために、いくつかのリソース(たとえば、時間)が、区分され、ある特定のタイプの通信のために異なるネットワーク運用エンティティに割り振られ得る。
【００３３】
たとえば、ネットワーク運用エンティティは、共有スペクトルの全体を使用するネットワーク運用エンティティによる独占的な通信のために予約された、いくつかの時間リソースを割り振られ得る。ネットワーク運用エンティティは、他の時間リソースも割り振られることがあり、ここで、エンティティは、共有スペクトルを使用して通信するための、他のネットワーク運用エンティティに勝る優先権が与えられる。ネットワーク運用エンティティによる使用が優先される、これらの時間リソースは、優先されるネットワーク運用エンティティがリソースを利用しない場合、他のネットワーク運用エンティティによって機会主義的に利用され得る。あらゆるネットワーク事業者が機会主義的に使用するために、追加の時間リソースが割り振られ得る。
【００３４】
共有スペクトルへのアクセスおよび異なるネットワーク運用エンティティ間での時間リソースの調停は、別個のエンティティによって集中的に制御され、あらかじめ定義された調停方式によって自律的に決定され、またはネットワーク事業者のワイヤレスノード間の対話に基づいて動的に決定され得る。
【００３５】
いくつかの場合、UE115および基地局105は、免許周波数スペクトルまたは免許不要(たとえば、コンテンションベースの)周波数スペクトルを含み得る、共有無線周波数スペクトル帯域において動作することができる。共有無線周波数スペクトル帯域の免許不要周波数部分では、UE115または基地局105は、従来から、周波数スペクトルへのアクセスをめぐって争うために、媒体感知手順を実行することがある。たとえば、UE115または基地局105は、共有チャネルが利用可能であるかどうかを決定するために、通信する前にクリアチャネルアセスメント(CCA:clear channel assessment)などのリッスンビフォアトーク(LBT:listen before talk)手順を実行することがある。CCAは、任意の他のアクティブな送信があるかどうかを決定するためのエネルギー検出手順を含み得る。たとえば、デバイスは、電力メータの受信信号強度インジケータ(RSSI)の変化が、チャネルが占有されていることを示すと推測することがある。具体的には、いくつかの帯域幅の中に集中し、かつ所定の雑音フロアを超過する信号電力は、別のワイヤレス送信機を示すことがある。CCAはまた、チャネルの使用を示す特定のシーケンスの検出を含み得る。たとえば、別のデバイスは、データシーケンスを送信する前に特定のプリアンブルを送信することがある。いくつかの場合、LBT手順は、チャネル上で検出されたエネルギーの量に基づいて、および/または、コリジョンに対する代理物としてのワイヤレスノード固有の送信されたパケットに対する肯定応答/否定応答(ACK/NACK)フィードバックに基づいて、ワイヤレスノードがその固有のバックオフウィンドウを調整することを含み得る。
【００３６】
免許不要共有スペクトルへのアクセスをめぐって争うための媒体感知手順の使用は、通信を非効率にし得る。このことは、複数のネットワーク運用エンティティ(たとえば、ネットワーク事業者)が共有リソースにアクセスすることを試みているときに特に明らかであり得る。5Gネットワーク100では、基地局105およびUE115は、同じまたは異なるネットワーク運用エンティティによって運用され得る。いくつかの例では、個々の基地局105またはUE115が、2つ以上のネットワーク運用エンティティによって運用され得る。他の例では、各基地局105およびUE115は、単一のネットワーク運用エンティティによって運用され得る。共有リソースをめぐって争うことを異なるネットワーク運用エンティティの各基地局105およびUE115に要求することは、シグナリングオーバヘッドおよび通信レイテンシの増大をもたらすことがある。
【００３７】
図3は、協調リソース区分のタイミング図300の例を示す。タイミング図300は、固定の時間長(たとえば、20ms)を表し得るスーパーフレーム305を含む。スーパーフレーム305は、所与の通信セッションに対して反復されることがあり、図1を参照して説明された5Gネットワーク100などのワイヤレスシステムによって使用されることがある。スーパーフレーム305は、獲得区間(A-INT)310および調停区間315などの区間に分割され得る。以下でより詳細に説明されるように、A-INT310および調停区間315は、部分区間へと細分され、いくつかのリソースタイプのために指定され、異なるネットワーク運用エンティティ間の協調通信を容易にするように、異なるネットワーク運用エンティティに割り振られ得る。たとえば、調停区間315は複数の部分区間320へと分割され得る。また、スーパーフレーム305は、時間長が固定(たとえば、1ms)である複数のサブフレーム325へとさらに分割され得る。タイミング図300は、3つの異なるネットワーク運用エンティティ(たとえば、事業者A、事業者B、事業者C)を示すが、協調通信のためにスーパーフレーム305を使用するネットワーク運用エンティティの数は、タイミング図300に示される数よりも多くても少なくてもよい。
【００３８】
A-INT310は、ネットワーク運用エンティティによる独占的な通信のために予約される、スーパーフレーム305の専用区間であり得る。いくつかの例では、各ネットワーク運用エンティティには、独占的な通信のためにA-INT310内のいくつかのリソースが割り振られ得る。たとえば、リソース330-aは、基地局105aなどを通じた、事業者Aによる独占的な通信のために予約されることがあり、リソース330-bは、基地局105bなどを通じた、事業者Bによる独占的な通信のために予約されることがあり、リソース330-cは、基地局105cなどを通じた、事業者Cによる独占的な通信のために予約されることがある。リソース330-aは事業者Aによる独占的な通信のために予約されるので、事業者Aがそれらのリソースの間に通信しないことを選んだ場合であっても、事業者Bも事業者Cもリソース330-aの間に通信することができない。すなわち、独占的なリソースへのアクセスは、指定されたネットワーク事業者に限定される。同様の制約は、事業者Bのためのリソース330-bおよび事業者Cのためのリソース330-cに対して適用される。事業者Aのワイヤレスノード(たとえば、UE115または基地局105)は、制御情報またはデータなどの、それらの独占的なリソース330-aの間に所望されるあらゆる情報を通信することができる。
【００３９】
独占的なリソースを介して通信するとき、ネットワーク運用エンティティはリソースが予約されていることを知っているので、ネットワーク運用エンティティは、いかなる媒体感知手順(たとえば、リッスンビフォアトーク(LBT)またはクリアチャネルアセスメント(CCA))も実行する必要がない。指定されたネットワーク運用エンティティのみが独占的なリソースを介して通信し得るので、媒体感知技法のみに依拠するのと比較して、干渉通信の可能性が低減され得る(たとえば、隠れノード問題がない)。いくつかの例では、A-INT310は、同期信号(たとえば、SYNC信号)、システム情報(たとえば、システム情報ブロック(SIB))、ページング情報(たとえば、物理ブロードキャストチャネル(PBCH)メッセージ)、またはランダムアクセス情報(たとえば、ランダムアクセスチャネル(RACH)信号)などの、制御情報を送信するために使用される。いくつかの例では、ネットワーク運用エンティティと関連付けられたワイヤレスノードのすべてが、それらの独占的なリソースの間に同時に送信することがある。
【００４０】
いくつかの例では、リソースは、いくつかのネットワーク運用エンティティに対して優先されるものとして分類され得る。あるネットワーク運用エンティティに対する優先権を割り当てられたリソースは、そのネットワーク運用エンティティのための保証区間(G-INT)と呼ばれることがある。G-INTの間にネットワーク運用エンティティによって使用されるリソースの区間は、優先部分区間と呼ばれることがある。たとえば、リソース335-aは、事業者Aによる使用が優先されることがあり、したがって、事業者AのためのG-INT(たとえば、G-INT-OpA)と呼ばれることがある。同様に、リソース335-bは事業者Bに対して優先されることがあり、リソース335-cは事業者Cに対して優先されることがあり、リソース335-dは事業者Aに対して優先されることがあり、リソース335-eは事業者Bに対して優先されることがあり、リソース335-fは事業者Cに対して優先されることがある。
【００４１】
図3に示される様々なG-INTリソースは、それらのそれぞれのネットワーク運用エンティティとのそれらの関連付けを示すために千鳥状となるように出現するが、これらのリソースはすべて、同じ周波数帯域幅上にあってもよい。したがって、時間周波数グリッドに沿って見た場合、G-INTリソースは、スーパーフレーム305内の連続する列として出現することがある。データのこの区分は、時分割多重化(TDM)の例であり得る。また、リソースが、同じ部分区間の中に出現するとき(たとえば、リソース340-aおよびリソース335-b)、これらのリソースは、スーパーフレーム305に関して同じ時間リソースを表す(たとえば、リソースが同じ部分区間320を占有する)が、これらのリソースは、同じ時間リソースが異なる事業者に対して異なるように分類され得ることを示すために、別々に指定される。
【００４２】
リソースがあるネットワーク運用エンティティに対する優先権(たとえば、G-INT)を割り当てられると、そのネットワーク運用エンティティは、どのような媒体感知手順(たとえば、LBTまたはCCA)を待つ必要も、または実行する必要もなく、それらのリソースを使用して通信することができる。たとえば、事業者Aのワイヤレスノードは、事業者Bまたは事業者Cのワイヤレスノードからの干渉を伴わずに、任意のデータまたは制御情報をリソース335-aの間に自由に通信する。
【００４３】
加えて、ネットワーク運用エンティティは、特定のG-INTを使用する意図があることを別の事業者にシグナリングし得る。たとえば、リソース335-aに関して、事業者Aは、リソース335-aを使用する意図があることを事業者Bおよび事業者Cにシグナリングし得る。そのようなシグナリングは活動指示と呼ばれ得る。その上、事業者Aはリソース335-aに対する優先権を有するので、事業者Aは事業者Bと事業者Cの両方よりも優先度が高い事業者と見なされ得る。しかしながら、上で論じられたように、事業者Aは、リソース335-aの間の干渉のない送信を確実にするために、シグナリングを他のネットワーク運用エンティティに送信する必要はなく、それは、リソース335-aが事業者Aに対する優先権を割り当てられているからである。
【００４４】
同様に、ネットワーク運用エンティティは、特定のG-INTを使用する意図がないことを、別のネットワーク運用エンティティにシグナリングし得る。このシグナリングも、活動指示と呼ばれることがある。たとえば、リソース335-bに関して、事業者Bは、リソースが事業者Bに対する優先権を割り当てられていても、通信のためにリソース335-bを使用する意図がないことを事業者Aおよび事業者Cにシグナリングすることがある。リソース335-bに関して、事業者Bは、事業者Aおよび事業者Cよりも優先度が高いネットワーク運用エンティティであると見なされ得る。そのような場合、事業者AおよびCは、部分区間320の一部のリソースを機械主義的に使用することを試み得る。したがって、事業者Aの観点からは、リソース335-bを含む部分区間320は、事業者Aのための機会主義的区間(O-INT)(たとえば、O-INT-OpA)と見なされ得る。説明を目的に、部分区間320のリソース340-aは、事業者AのためのO-INTを表し得る。また、事業者Cの観点からは、同じ部分区間320は、対応するリソース340-bを伴う事業者CのためのO-INTを表し得る。リソース340-a、335-b、および340-bはすべて、同じ時間リソース(たとえば、特定の部分区間320)を表すが、同じリソースが一部のネットワーク運用エンティティにとってはG-INTであると見なされ得るが他のネットワーク運用エンティティにとってはO-INTであると見なされ得ることを示すために、別々に識別されている。
【００４５】
リソースを機会主義的に利用するために、事業者Aおよび事業者Cは、データを送信する前に、特定のチャネル上での通信を検査するために媒体感知手順を実行することができる。たとえば、事業者Bが、リソース335-b(たとえば、G-INT-OpB)を使用しないことを決定する場合、事業者Aは、最初に干渉についてチャネルを検査し(たとえば、LBT)、次いで、チャネルがクリアであると決定された場合にデータを送信することによって、それらの同じリソース(たとえば、リソース340-aによって表される)を使用し得る。同様に、事業者BがそのG-INTを使用する予定がなかったとの指示に応答して、事業者Cが、部分区間320の間に機会主義的にリソースにアクセスする(たとえば、リソース340-bによって表されるO-INTを使用する)ことを希望した場合、事業者Cは、媒体感知手順を実行することができ、利用可能な場合はリソースにアクセスすることができる。いくつかの場合、2つの事業者(たとえば、事業者Aおよび事業者C)が、同じリソースにアクセスすることを試みることがあり、その場合、事業者は、干渉する通信を避けるためにコンテンションベースの手順を使用することができる。事業者はまた、複数の事業者が同時にアクセスを試みている場合にどの事業者がリソースへのアクセスを得ることができるかを決定するように設計された、副優先権を割り当てられることがある。
【００４６】
いくつかの例では、ネットワーク運用エンティティは、それに割り当てられた特定のG-INTを使用する意図がないことがあるが、リソースを使用しないという意図を伝える活動指示を送出しないことがある。そのような場合、特定の部分区間320の間、優先権がより低い運用エンティティは、優先権がより高い運用エンティティがリソースを使用しているかどうかを決定するために、チャネルを監視するように構成され得る。優先権がより高い運用エンティティがそのG-INTリソースを使用する予定がないことを、優先権がより低い運用エンティティがLBTまたは類似の方法を通じて決定する場合、優先権がより低い運用エンティティは、上で説明されたように機会主義的にリソースにアクセスすることを試み得る。
【００４７】
いくつかの例では、G-INTまたはO-INTへのアクセスの前に、予約信号(たとえば、送信要求(RTS)/送信可(CTS))が先行することがあり、コンテンションウィンドウ(CW)は、1と運用エンティティの総数との間でランダムに選ばれ得る。
【００４８】
いくつかの例では、運用エンティティは、多地点協調(CoMP)通信を使用し、またはそれと互換性があることがある。たとえば、運用エンティティは、必要に応じて、G-INTの中でCoMPおよび動的な時分割複信(TDD)を、およびO-INTの中で機会主義的なCoMPを使用することができる。
【００４９】
図3に示される例では、各部分区間320は、事業者A、B、またはCのうちの1つのためのG-INTを含む。しかしながら、いくつかの場合、1つまたは複数の部分区間320は、独占的な使用のために予約されておらず優先的な使用のためにも予約されていないリソース(たとえば、割り当てられていないリソース)を含み得る。そのような割り当てられていないリソースは、任意のネットワーク運用エンティティのためのO-INTと見なされることがあり、上で説明されたように機会主義的にアクセスされることがある。
【００５０】
いくつかの例では、各サブフレーム325は、14個のシンボル(たとえば、60kHzトーン間隔に対して250μs)を含み得る。これらのサブフレーム325は、スタンドアロンの自己完結型区間C(ITC)であり得るか、またはサブフレーム325は、長いITCの一部分であり得る。ITCは、ダウンリンク送信から始まりアップリンク送信で終わる、自己完結型送信であり得る。いくつかの実施形態では、ITCは、媒体占有時に連続して動作する1つまたは複数のサブフレーム325を含み得る。いくつかの場合、250μsの送信機会を想定すると、(たとえば、時間長が2msの)A-INT310の中に、最大で8つのネットワーク事業者があり得る。
【００５１】
3つの事業者が図3に示されるが、より少数またはより多数のネットワーク運用エンティティが、上で説明されたように協調して動作するように構成され得ることを理解されたい。いくつかの場合、各事業者のためのスーパーフレーム305内でのG-INT、O-INT、またはA-INTの位置は、システムの中でアクティブなネットワーク運用エンティティの数に基づいて自律的に決定される。たとえば、1つのネットワーク運用エンティティしかない場合、各部分区間320は、その単一のネットワーク運用エンティティのためのG-INTによって占有されることがあり、または部分区間320は、他のネットワーク運用エンティティが入ることを可能にするために、そのネットワーク運用エンティティのためのG-INTと、O-INTとの間で、交互に現れることがある。2つのネットワーク運用エンティティがある場合、部分区間320は、第1のネットワーク運用エンティティのためのG-INTと第2のネットワーク運用エンティティのためのG-INTとの間で、交互に現れることがある。3つのネットワーク運用エンティティがある場合、各ネットワーク運用エンティティのためのG-INTおよびO-INTは、図3に示されるように設計され得る。4つのネットワーク運用エンティティがある場合、最初の4つの部分区間320は、4つのネットワーク運用エンティティのための連続するG-INTを含むことがあり、残りの2つの部分区間320はO-INTを含むことがある。同様に、5つのネットワーク運用エンティティがある場合、最初の5つの部分区間320は、5つのネットワーク運用エンティティのための連続するG-INTを含むことがあり、残りの部分区間320はO-INTを含むことがある。6つのネットワーク運用エンティティがある場合、すべての6つの部分区間320が、各ネットワーク運用エンティティのための連続するG-INTを含むことがある。これらの例が説明を目的とするものにすぎないこと、および自律的に決定される他の区間割振りが使用され得ることを理解されたい。
【００５２】
図3を参照して説明された協調の枠組みは説明を目的とするものにすぎないことを理解されたい。たとえば、スーパーフレーム305の時間長は、20msよりも長くても短くてもよい。また、部分区間320およびサブフレーム325の数、時間長、および位置は、図示される構成とは異なっていてもよい。また、リソース指定のタイプ(たとえば、独占的、優先的、非割当て)は、異なっていてもよく、またはより多数またはより少数の下位指定を含んでもよい。
【００５３】
上記から理解され得るように、5Gネットワーク100の実施形態によって利用される物理フレーム構造は、リソースが割り振られ得る可能なやり方に関して極めて柔軟である。したがって、ダウンリンク制御情報(DCI)は、様々な制御情報(たとえば、許可、送信タイミング、リソースブロック割当て、復調方式、アンテナビーム情報など)を、UE115のうちの1つとのワイヤレス通信においてUE115のうちの1つへ提供するために、実施形態の基地局105によって送信される。異なる制御情報セットの提供を受け入れるために、いくつかの異なるDCIフォーマットがサポートされ得る。
【００５４】
5Gネットワーク100の実施形態は、たとえば、0-0、0-1、1-0、1-1、2-0、2-1、2-2、および2-3と指定された、8つのDCIフォーマットをサポートし得る。これらのDCIフォーマットは、異なるデータの送信(たとえば、ペイロードデータ、制御データ、およびこれらの組合せの送信)に関して使用されるDCIフォーマット、異なる通信リンク(たとえば、アップリンクスケジューリングまたはダウンリンクスケジューリング)に関して使用されるDCIフォーマット、様々に符号化されたペイロード(たとえば、セル無線ネットワーク一時識別子(C-RNTI)情報を用いて符号化されるDCIペイロード(C-RNTI DCI)、およびC-RNTI情報を用いて符号化されないDCI(non-C-RNTI DCI))を搬送するDCIフォーマット、異なるサイズのDCIフォーマット(たとえば、他のDCIフォーマットに関して異なるDCIペイロードサイズを有するDCIフォーマット、構成可能なDCIペイロードサイズを有するDCIフォーマットなど)、異なる探索区間において受信されるDCIフォーマット(たとえば、共通探索空間(CSS)において受信されるDCIフォーマット、およびUE固有探索空間(USS)において受信されるDCIフォーマット)などを備え得る。
【００５５】
DCIを検出して復号するために受信デバイスによって利用されるコンピューティングリソースは、それらのワイヤレス通信に関して使用され得る可能な異なるDCIフォーマットサイズの数とともに増大する。たとえば、異なるDCIペイロードサイズを有するいくつかの異なるDCIフォーマットをブラインド復号するために構成されるUEの複雑さは、極めて高いことがあり、大量のコンピューティングリソースを必要とすることがある。コンピューティングリソースのそのような複雑さと利用率の増大は、多数のモバイル通信デバイス(たとえば、電池駆動のモバイル通信デバイス)に関して問題であることがあり、サポート不可能であることすらある。したがって、5Gネットワーク100の実施形態は、同時に利用されるDCIフォーマットの組合せに対して制約を課す(たとえば、DCIフォーマットの異なるサイズおよび/またはタイプの数を制限する)。以下でより完全に説明されるように、本開示の実施形態は、同時使用のためのDCIフォーマットのセットに対するDCIフォーマットサイズの数を制限するために、異なるサイズとなるように構成可能であるDCIフォーマットをサイズ整合するための技法を実施することによって、そのようなDCIフォーマットの制約を満たすことを可能にする。
【００５６】
本開示の概念の理解を助けるために、DCIフォーマット0-0、0-1、1-0、1-1、2-0、2-1、2-2、および2-3を備える例示的なDCIフォーマットの枠組みが以下で提供される。同時使用のためのDCIフォーマットのセットに対するDCIフォーマットサイズの数を制限するために、異なるサイズとなるように構成可能であるDCIフォーマットをサイズ整合することに関する本明細書の概念は、たとえば、異なる数のDCIフォーマット、同時に利用されるDCIフォーマットの異なるサイズおよび/またはタイプの数に対する異なる制約などを有し得る、他のDCIフォーマットの枠組みに適用可能である。
【００５７】
DCIフォーマット0-0および1-0は、たとえば、CSSにおいて(たとえば、任意のキャリア帯域幅部分(BWP)において)監視され、USSにおいて(たとえば、任意のBWPにおいて)監視され得る、フォールバックDCIフォーマットを提供し得る。実施形態によれば、DCIフォーマット0-0(たとえば、フォールバックダウンリンクスケジューリングDCI)および1-0(たとえば、フォールバックアップリンクスケジューリングDCI)は、互いに関して同じサイズを有し得る。実施形態に従ってBWPの中でDCIを監視するとき、(RNTIとは無関係に)CSSにおけるDCIフォーマット0-0/1-0のサイズは、初期のダウンリンクBWPによって与えられることがあり、USSにおけるDCIフォーマット0-0/1-0のサイズは、DCIサイズの予定(budget)が満たされる限りアクティブBWPによって与えられることがあり、それ以外の場合、USSにおけるDCIフォーマット0-0/1-0に対して、サイズは初期のダウンリンクBWPによって与えられることがある。
【００５８】
非フォールバックDCIフォーマット0-1および1-1は、たとえば、USSのみにおいて(たとえば、任意のBWPにおいて)受信され得る。無線リソース制御(RRC)シグナリングは、USSにおけるDCIの監視に関してUEを構成するために利用され得る。たとえば、USSのためのRRCシグナリングは、DCIフォーマット0-0および1-1だけを監視するために、または、USSにおいてDCIフォーマット0-0および1-0だけを監視するために、UEを構成し得る。
【００５９】
実施形態のDCIフォーマット0-1および1-1のサイズは、アクティブキャリア帯域幅部分(BWP)によって与えられ得る。すなわち、実施形態のDCIフォーマット0-1および1-1に対するリソース割振りサイズは、キャリア帯域幅に応じて可変であり、かつアップリンクおよびダウンリンクに関して変化し得る、利用可能なリソースの量の関数である。フォールバックDCIフォーマット0-0および1-0のサイズは、非フォールバックDCIフォーマット0-1(たとえば、非フォールバックダウンリンク許可DCI)および1-1(たとえば、非フォールバックアップリンク許可DCI)のサイズよりはるかに小さいことがあり、これらの各々が互いに関して異なるサイズを有することがある。すなわち、DCIフォーマット0-0/1-0、0-1、および1-1は異なるサイズを有し得る。
【００６０】
DCIフォーマット2-0、2-1、2-2、および2-3は、たとえば、CSSのみにおいて(たとえば、任意のBWPにおいて)受信され得る。DCIフォーマット2-0(たとえば、スロットフォーマットインジケータDCI)および2-1(たとえば、先取りインジケータDCI)はそれぞれ、UEのグループにスロットフォーマットを通知するために使用されるべき構成可能なDCIフォーマット、および、UEのグループにPRBおよびOFDMシンボルを通知するために使用されるべき構成可能なDCIフォーマットを備えることがあり、ここでUEは、UEに対して意図されている送信がないと仮定することがある。DCIフォーマット2-2(たとえば、PUCCHおよびPUSCHのための送信電力制御(TCP)DCI)および2-3(たとえば、SRSのためのTPC/要求DCI)は、RMSI/OSIをスケジューリングするために、ページングのために、およびランダムアクセスのために使用されるべきDCIフォーマット0-0/1-0と同じサイズを有するDCIフォーマットを備え得る。たとえば、DCIフォーマット2-2および2-3のためのDCIペイロードサイズは、初期のBWPによって定義されるようなDCIフォーマット0-0/1-0のサイズと一致するようにパディングされ得る。
【００６１】
実施形態のDCIフォーマット0-0、0-1、1-0、および1-1は、C-RNTI DCIフォーマットを備える(たとえば、C-RNTIを用いて符号化される)。実施形態のDCIフォーマット2-0、2-1、2-2、および2-3は、non-C-RNTI DCIフォーマットを備える(たとえば、C-RNTIを用いて符号化されず、任意の構成される制御リソースセット(CORESET)IDを用いて符号化される)。したがって、この例示的な実装形態のDCIフォーマット0-0、0-1、1-0、および1-1、ならびにDCIフォーマット2-0、2-1、2-2、および2-3は、それぞれ、第1のDCIタイプおよび第2のDCIタイプを提供する。
【００６２】
例示的なDCIフォーマットの枠組みに従って、UE固有のRRCシグナリングによって構成される各探索空間構成に対して、UEは、探索空間構成がCSSであるかUSSであるかを、探索空間構成の一部として知らされ得る。また、探索空間構成の一部として、UEは、どのDCIフォーマットを監視すべきかに関する情報を与えられ得る。
【００６３】
たとえば、探索空間構成がCSSである場合、UEは、DCIフォーマット0-0、1-0、2-0、2-1、2-2、および2-3のうちの1つまたは複数に関する情報を与えられ得る。CSSにおけるDCIフォーマット0-0および1-0に関して、C-RNTI、構成セットRNTI(CS-RNTI)(構成される場合)、半永続チャネル状態情報RNTI(SP-CSI-RNTI)(構成される場合)、ランダムアクセスRNTI(RA-RNTI)、一時C-RNTI(TC-RNTI)、ページングRNTI(P-RNTI)、またはシステム情報RNTI(SI-RNTI)によってスクランブリングされた巡回冗長検査(CRC)を用いてDCIフォーマットをUEが監視することを容易にする情報を、UEは与えられ得る。DCIフォーマット2-0に関して、スロット情報インジケータRNTI(SFI-RNTI)によってスクランブリングされたCRCを用いて、かつ、探索空間構成の一部としてSFI-PDCCHに与えられるSFI関連パラメータを用いて、DCIフォーマットをUEが監視することを容易にする情報を、UEは与えられ得る。DCIフォーマット2-1に関して、中断RNTI(INT-RNTI)によってスクランブリングされたCRCを用いて、かつ、探索空間構成の一部としてダウンリンク先取り(Preemp-DL)に与えられるPI関連パラメータを用いて、DCIフォーマットをUEが監視することを容易にする情報を、UEは与えられ得る。DCIフォーマット2-2に関して、送信制御電力PUSCH RNTI(TPC-PUSCH-RNTI)またはTPC-PUCCH-RNTIによってスクランブリングされるCRCを用いてDCIフォーマットをUEが監視することを容易にする情報を、UEは与えられ得る。DCIフォーマット2-3に関して、TCPサウンディング基準信号RNTI(TCP-SRS-RNTI)によってスクランブリングされるCRCを用いてDCIフォーマットをUEが監視することを容易にする情報を、UEは与えられ得る。実施形態に従った動作において、上述のDCIフォーマットのうちの複数の監視が、1つのCSSのために構成され得る。
【００６４】
探索空間構成がUSSである場合、UEは、DCIフォーマット0-0、0-1、1-0、および1-1のうちの1つまたは複数に関する情報を与えられ得る。USSにおけるこれらのDCIフォーマットのいずれに関しても、C-RNTI、CS-RNTI(構成される場合)、TC-RNTI(ある条件が満たされる場合)、およびSP-CSI-RNTI(構成される場合)によってスクランブリングされるCRCを用いてDCIフォーマットをUEが監視することを容易にする情報を、UEは与えられ得る。実施形態に従った動作において、上述のDCIフォーマットのうちの複数の監視が、1つのUSSのために構成され得る。
【００６５】
DCIフォーマット0-0、0-1、1-0、1-1、2-0、2-1、2-2、および2-3を備える、前述の例示的なDCIフォーマットの枠組みが以下のTable 1(表1)において要約されている。DCIフォーマットのサイズ決定の6つの変形(表の列においてサイズ1〜6として示されている)が、8つのDCIフォーマットに対して定義されることが、Table 1(表1)から容易に理解され得る。例示的なDCIフォーマットの枠組みにおいて、初期のDL BWPに関するDCIフォーマット0-0/1-0のための、かつ、したがってDCIフォーマット2-2および2-3のための、サイズ1(Table 1(表1)の一番左のサイズ決定の変形の列において示される)は、フォールバックDCIフォーマットを実装するために必須である。
【００６６】
【表１Ａ】
2021518690.tif 000003
【００６７】
【表１Ｂ】
2021518690.tif 000004
【００６８】
上記から理解され得るように、例示的なDCIフォーマットの枠組みのDCIは、いくつかのフォーマットサイズ決定の変形を定義し、このことは、すべてが同時に使用される場合、多くのUE構成によるブラインド復号に関して問題であり得る。したがって、実施形態に従って実装されるような例示的なDCIフォーマットの枠組みは、同時使用のための(たとえば、図3のタイミング図300に示されるようなスーパーフレーム305内のサブフレーム325のスロットなどの、同じワイヤレス通信スロットにおいて同時に使用される)DCIフォーマットのセットに対するDCIフォーマットサイズの数を制限する。同じサイズのDCIフォーマットに対して、UEは、DCIを復号するために並列処理を容易に利用することができる。したがって、任意の特定のスロットにおいて利用される異なるDCIフォーマットサイズの数を制限することによって、DCIを検出して復号するために利用されるUEとコンピューティングリソースの複雑さは、DCI復号性能が受け入れ可能なままでありながら、妥当な水準に維持され得る。
【００６９】
実施形態に従って実装される、同時使用のためのDCIフォーマットサイズの数に関する制約は、第1の数のDCIサイズパラメータと第2の数のDCIサイズパラメータの両方への制約を含み、第1の数のDCIサイズパラメータは、ワイヤレス通信スロット当たりのDCIフォーマットサイズの総数に基づき、第2の数のDCIサイズパラメータは、ワイヤレス通信スロット当たりの識別子を使用して符号化されるDCIペイロードを搬送するために使用されるDCIフォーマットに対するDCIフォーマットサイズの総数に基づく。ある特定の例として、DCIペイロードを符号化するために使用される識別子はC-RNTIを備えることがあり、第1の数のDCIサイズパラメータは、スロット当たり多くて4つの異なるDCIサイズがUEによって監視されることを定めることがあり、第2の数のDCIサイズパラメータは、スロット当たり多くて3つの異なるDCIサイズがC-RNTIごとに監視されることを定めることがある。
【００７０】
本開示の実施形態による、同時使用のためのDCIフォーマットのセットに対するDCIフォーマットサイズの数を制限するために、DCIフォーマットのサイズ整合を提供するための動作が、図4に示されている。具体的には、図4は、基地局105のコントローラ/プロセッサ240の論理回路によって実装され得るような、機能ブロックを備えるフロー400を示す。たとえば、コントローラ/プロセッサ240によって実行されるとき、フロー400の機能ブロックを実施するように構成される1つまたは複数の命令セット(および関連するデータ)は、本明細書で説明されるような動作を提供するためのコントローラ/プロセッサ240によるロードと実行のために、メモリ242によって記憶され得る。
【００７１】
図示した実施形態のフロー400に従った動作において、ワイヤレス通信の間の同時使用のための複数のDCIフォーマットのうちのDCIフォーマットのセットがブロック401において決定され、それらの複数のDCIフォーマットのうちのいくつかのDCIフォーマットは異なるサイズとなるように構成可能である。たとえば、複数のDCIフォーマット(たとえば、DCIフォーマット0-0、0-1、1-0、1-1、2-0、2-1、2-2、および2-3)は、同時使用のための可能なDCIフォーマットのグループを提供することができ、DCIフォーマットの組合せを備えるDCIフォーマットのセット(たとえば、DCIフォーマット0-0、0-1、1-0、1-1、2-0、2-1、2-2、および2-3から選択されたDCIフォーマットのサブセット)は、特定のワイヤレス通信スロットにおけるDCI送信のために選択され得る。
【００７２】
上で論じられたように、DCIフォーマットのセットのうちのDCIフォーマットは、異なるサイズのDCIペイロードを提供し得る。したがって、図4に図示した実施形態のブロック402において、DCIフォーマットのセットのDCIフォーマットサイズの数が同時使用のためのDCIフォーマットサイズの数に関する制約を超えるかどうかについて、決定が行われ得る。たとえば、例示的なDCIフォーマットの枠組みについて上で説明されたように、実装される同時使用のためのDCIフォーマットサイズの数に関する制約は、第1の数のDCIサイズパラメータと第2の数のDCIサイズパラメータの両方への制約を含むことがあり、第1の数のDCIサイズパラメータは、ワイヤレス通信スロット当たりのDCIフォーマットサイズの総数に基づき、第2の数のDCIサイズパラメータは、ワイヤレス通信スロット当たりの識別子を使用して符号化されるDCIペイロードを搬送するために使用されるDCIフォーマットに対するDCIフォーマットサイズの総数に基づく。したがって、図示した実施形態のブロック402における決定は、DCIフォーマットのセットのDCIフォーマットサイズの数がDCIサイズの1つまたは複数の数パラメータ(たとえば、上記の例における第1の数のDCIサイズパラメータと第2の数のDCIサイズパラメータの両方)を超えるかどうかを決定する。
【００７３】
同時使用のためのDCIフォーマットサイズの数に関する制約を超えない(たとえば、DCIサイズの1つまたは複数の数パラメータを超えない)ことが、ブロック402において決定される場合、フロー400の図示した実施形態に従った処理は、以下でより完全に説明されるように、DCIフォーマットのセットの使用を監視するためのブロック404に進む。しかしながら、同時使用のためのDCIフォーマットサイズの数に関する制約を超える(たとえば、DCIサイズの1つまたは複数の数パラメータを超える)ことが、ブロック402において決定される場合、フロー400の図示した実施形態に従った処理は、異なるDCIフォーマットサイズの数に対する制約を実施するためのブロック403に進む。
【００７４】
図4に図示した実施形態のブロック403における異なるDCIフォーマットサイズの数に対する制約を実施する際、図示した実施形態のフロー400に従った動作は、同時使用のためのDCIフォーマットサイズの数に関する制約を満たすように、異なるサイズとなるように構成可能であるDCIフォーマットのセットのうちの少なくとも2つのDCIフォーマットをサイズ整合する(たとえば、DCIフォーマットのセットのうちの少なくとも2つのDCIフォーマットのDCIフォーマットサイズは、同時使用のためのDCIフォーマットのセットに対するDCIフォーマットサイズの数をDCIフォーマットサイズの1つまたは複数の数パラメータに制限するためにサイズ整合される)。たとえば、例示的なDCIフォーマットの枠組みについて上で説明されたように、実装される同時使用のためのDCIフォーマットサイズの数に関する制約は、第1の数のDCIサイズパラメータと第2の数のDCIサイズパラメータの両方への制約を含み得る。したがって、実施形態のブロック403に従って行われたサイズ整合により、同時使用のためのDCIフォーマットのセットに対するDCIフォーマットサイズは、第1の数のDCIサイズパラメータ(たとえば、ワイヤレス通信スロット当たりのDCIフォーマットサイズの総数に基づくDCIサイズの数パラメータ)と、第2の数のDCIサイズパラメータ(たとえば、ワイヤレス通信スロット当たりの識別子を使用して符号化されるDCIペイロードを搬送するために使用されるDCIフォーマットに対するDCIフォーマットサイズの総数に基づく、DCIサイズの数パラメータ)、の両方を満たすようになり得る。
【００７５】
本開示の実施形態に従って実行されるサイズ整合は、ワイヤレス通信の間の動的なサイズ整合を提供し得る。たとえば、動的なサイズマッピングが、BWP切り替えに関して行われ得る。追加または代替として、動的なサイズマッピングは、同時使用のためのDCIフォーマットのセットの変更に関して行われ得る。そのような動的なサイズマッピングは、スロットごとに動的に実施され得る。追加または代替として、動的なサイズマッピングは、DCIフォーマットのセットのうちの少なくとも1つのDCIフォーマットが探索される探索空間の監視周期および/または監視機会に基づき得る。監視される周期に基づく動的なサイズ整合は、たとえば、第1の数のDCIサイズパラメータおよび第2の数のDCIサイズパラメータのうちの少なくとも1つに関して最大の数のDCIフォーマットサイズを有する監視期間におけるワイヤレス通信スロットに基づいて、DCIフォーマットのセットのうちのいくつかのDCIフォーマットのサイズ整合を提供し得る。
【００７６】
フロー400の図示した実施形態のブロック404において、DCIフォーマットのセットの使用は、監視周期(たとえば、時間期間、スロットの数、スーパーフレームの数などの、構成可能な周期)および/または監視機会(たとえば、サイズ整合されたDCIフォーマットのアップリンクまたはダウンリンクBWPの変化、DCIフォーマットのセットのうちの1つまたは複数のDCIフォーマットの変化など)について監視される。したがって、図示した実施形態に従った処理は、監視周期に従って、かつ/または監視機会が出現すると、ブロック404の監視から進み得る。
【００７７】
図4に示されるフロー400のブロック405において、BWPの切り替えが発生した(たとえば、サイズ整合されたDCIフォーマットのアップリンクBWPまたはダウンリンクBWPの変化が検出された)かどうかについて、決定が行われる。必須のBWP切り替えがブロック405において発生したと決定される場合、図示した実施形態に従った処理はブロック403に戻り、そこで、切り替えられたBWPに適切に対応するように、DCIフォーマットのセットに対するDCIフォーマットサイズのために、サイズ整合処理が繰り返される。必須のBWP切り替えがブロック405において発生したと決定されない場合、図示した実施形態に従った処理はブロック402に戻り、そこで、DCIフォーマットのセットがDCIサイズの1つまたは複数の数パラメータに従ったままであることに関する決定が行われる。したがって、DCIフォーマットのセットが変化し、その結果、DCIフォーマットサイズの数がDCIサイズの1つまたは複数の数パラメータを超える場合、処理はブロック403に戻ることができ、そこで、サイズ整合処理が、DCIフォーマットのセットに関して実行される。
【００７８】
本開示の実施形態による、同時使用のためのDCIフォーマットのセットに対するDCIフォーマットサイズの数を制限するようにDCIフォーマットのサイズ整合を提供するための動作を説明したが、DCIフォーマットの例示的なセットに関して(たとえば、図4のブロック403に従って)実装されるDCIフォーマットのサイズ整合の例は、以下のTable 2(表2)〜Table 5(表5)において提供される。Table 2(表2)〜Table 5(表5)の例の各々において、同時使用のための可能なDCIフォーマットは、DCIフォーマット0-0、0-1、1-0、1-1、2-0、2-1、2-2、および2-3を備え、第1の数のDCIサイズパラメータは、スロット当たり多くて4つの異なるDCIサイズがUEによって監視されることを規定し、第2の数のDCIサイズパラメータは、スロット当たり多くて3つの異なるDCIサイズがC-RNTIごとに監視されることを規定する。与えられる具体的な例は、本開示の概念を理解するのを助けるためのものであり、(たとえば、DCIフォーマットのセット、DCIフォーマットサイズの数を制限するために使用されるDCIサイズの特定の数パラメータ、またはサイズ整合が実行され得るDCIフォーマットに関して)限定することは意図されていない。
【００７９】
以下のTable 2(表2)に示される、DCIフォーマットのサイズ整合の第1の例では、(Table 2(表2)において太字での強調により示されるような)同時使用のために選択されるDCIフォーマットのセットは、CSSにおけるDCIフォーマット0-0、1-0、2-0、2-1、2-2、および2-3、ならびにUSSにおけるDCIフォーマット0-1および1-1を備える。上のTable 1(表1)を参照すると、DCIフォーマットのサイズ整合がないと、DCIフォーマットの上記のセットは、5つのDCIフォーマットサイズ(すなわち、DCIフォーマットサイズ1、3、4、5、および6)を有し、これは、スロット当たり多くて4つの異なるDCIサイズがUEによって監視されることを規定する第1の数のDCIサイズパラメータを超える。その上、Table 1(表1)およびTable 2(表2)において見られるように、DCIフォーマットの上記のセットは、スロット当たり3つのDCIサイズ(すなわち、DCIフォーマットサイズ1、3、および4)をC-RNTIごとに有し、これは、スロット当たり多くて3つの異なるDCIサイズがC-RNTIごとに監視されることを規定する第2の数のDCIサイズパラメータを超えない。したがって、実施形態のDCI整合論理の動作において、DCIフォーマットのセットの2つのDCIフォーマットサイズが、第1の数のDCIサイズパラメータを満たすように組み合わせられることになり、ここで、組み合わせられるDCIフォーマットサイズは、第2の数のDCIサイズパラメータを満たすように、C-RNTI DCIのためのDCIフォーマットまたはnon-C-RNTI DCIのためのDCIフォーマットのいずれかであり得る。Table 2(表2)の例では、DCIフォーマット2-0および2-1のためのDCIフォーマットサイズは、全体で4つのDCIサイズおよび3つのC-RNTI DCIサイズを有するDCIフォーマットのセットをもたらすように整合される。この例のDCIフォーマット2-0および2-1をサイズ整合する際に利用され得るような、DCIフォーマットのサイズ整合を実施するための様々な技法が、以下で説明される。ダウンリンクBWPまたはアップリンクBWPが切り替わる場合、DCIフォーマット2-0および2-1のサイズが変化し得るので、実施形態は、BWP切り替えに関してDCIフォーマットのセットのうちのいくつかのDCIフォーマットを動的にサイズ整合し得ることを理解されたい。
【００８０】
【表２】
2021518690.tif 000005
【００８１】
以下のTable 3(表3)に示される、DCIフォーマットのサイズ整合の第2の例では、(Table 3(表3)において太字での強調により示されるような)同時使用のために選択されるDCIフォーマットのセットは、CSSにおけるDCIフォーマット0-0、1-0、2-0、2-1、2-2、および2-3、ならびにUSSにおけるDCIフォーマット0-0、0-1、1-0、および1-1を備える。上のTable 1(表1)を参照すると、DCIフォーマットのサイズ整合がないと、DCIフォーマットの上記のセットは、6つのDCIフォーマットサイズ(すなわち、DCIフォーマットサイズ1、2、3、4、5、および6)を有し、これは、スロット当たり多くて4つの異なるDCIサイズがUEによって監視されることを規定する第1の数のDCIサイズパラメータを超える。その上、上のTable 1(表1)おいて見られるように、DCIフォーマットのサイズ整合がないと、DCIフォーマットの上記のセットは、スロット当たり4つのDCIサイズ(すなわち、DCIフォーマットサイズ1、2、3、および4)をC-RNTIごとに有し、これは、スロット当たり多くて3つの異なるDCIサイズがC-RNTIごとに監視されることを規定する第2の数のDCIサイズパラメータを超える。したがって、実施形態のDCI整合論理の動作において、DCIフォーマットのセットの2つのDCIフォーマットサイズの2つのグループが、第1の数のDCIサイズパラメータを満たすように組み合わせられることになり、ここで、組み合わせられるDCIフォーマットサイズは、第2の数のDCIサイズパラメータを満たすようにサイズ整合されている、C-RNTI DCIのためのDCIフォーマットの少なくとも2つのDCIフォーマットサイズを含む。Table 3(表3)の例では、全体で4つのDCIサイズおよび3つのC-RNTI DCIサイズを有するDCIフォーマットのセットを提供するように、DCIフォーマット0-1および1-1のためのDCIフォーマットサイズが整合され、DCIフォーマット2-0および2-1のためのDCIフォーマットサイズが整合される(USSにおけるDCIフォーマット0-0および1-0のためのDCIフォーマットサイズは、上で論じられた例示的なDCIフォーマットの枠組みと一致するフォールバックDCIフォーマットを提供するためにこの例においてサイズ整合される)。この例のDCIフォーマット0-0および1-0、DCIフォーマット0-1および1-1、ならびにDCIフォーマット2-0および2-1をサイズ整合する際に利用され得るような、DCIフォーマットのサイズ整合を実施するための様々な技法が、以下で説明される。ダウンリンクBWPまたはアップリンクBWPが切り替わる場合、DCIフォーマット0-1および1-1ならびに/またはDCIフォーマット2-0および2-1のサイズが変化し得るので、実施形態は、BWP切り替えに関してDCIフォーマットのセットのうちのいくつかのDCIフォーマットを動的にサイズ整合し得ることを理解されたい。
【００８２】
【表３】
2021518690.tif 000006
【００８３】
以下のTable 4(表4)に示される、DCIフォーマットのサイズ整合の第3の例では、(Table 4(表4)において太字での強調により示されるような)同時使用のために選択されるDCIフォーマットのセットは、CSSにおけるDCIフォーマット0-0、1-0、2-0、2-1、2-2、および2-3、ならびにUSSにおけるDCIフォーマット0-1および1-1を備える。上のTable 1(表1)を参照すると、DCIフォーマットのサイズ整合がないと、DCIフォーマットの上記のセットは、5つのDCIフォーマットサイズ(すなわち、DCIフォーマットサイズ1、3、4、5、および6)を有し、これは、スロット当たり多くて4つの異なるDCIサイズがUEによって監視されることを規定する第1の数のDCIサイズパラメータを超える。その上、上のTable 1(表1)おいて見られるように、DCIフォーマットのサイズ整合がないと、DCIフォーマットの上記のセットは、スロット当たり3つのDCIサイズ(すなわち、DCIフォーマットサイズ1、3、および4)をC-RNTIごとに有し、これは、スロット当たり多くて3つの異なるDCIサイズがC-RNTIごとに監視されることを規定する第2の数のDCIサイズパラメータを超えない。したがって、実施形態のDCI整合論理の動作において、DCIフォーマットのセットの2つのDCIフォーマットサイズが、第1の数のDCIサイズパラメータを満たすように組み合わせられることになり、ここで、組み合わせられるDCIフォーマットサイズは、第2の数のDCIサイズパラメータを満たすように、C-RNTI DCIのためのDCIフォーマットまたはnon-C-RNTI DCIのためのDCIフォーマットのいずれかであり得る。Table 4(表4)の例では、DCIフォーマット0-1および1-1のためのDCIフォーマットサイズは、全体で4つのDCIサイズおよび2つのC-RNTI DCIサイズを有するDCIフォーマットのセットをもたらすように整合される。この例のDCIフォーマット0-1および1-1をサイズ整合する際に利用され得るような、DCIフォーマットのサイズ整合を実施するための様々な技法が、以下で説明される。ダウンリンクBWPまたはアップリンクBWPが切り替わる場合、DCIフォーマット0-1および1-1のサイズが変化し得るので、実施形態は、BWP切り替えに関してDCIフォーマットのセットのうちのいくつかのDCIフォーマットを動的にサイズ整合し得ることを理解されたい。
【００８４】
【表４】
2021518690.tif 000007
【００８５】
以下のTable 5(表5)に示される、DCIフォーマットのサイズ整合の第4の例では、(Table 5(表5)において太字での強調により示されるような)同時使用のために選択されるDCIフォーマットのセットは、CSSにおけるDCIフォーマット0-0、1-0、2-0、2-1、2-2、および2-3、ならびにUSSにおけるDCIフォーマット0-0および1-0を備える。上のTable 1(表1)を参照すると、DCIフォーマットのサイズ整合がないと、DCIフォーマットの上記のセットは、4つのDCIフォーマットサイズ(すなわち、DCIフォーマットサイズ1、2、5、および6)を有し、これは、スロット当たり多くて4つの異なるDCIサイズがUEによって監視されることを規定する第1の数のDCIサイズパラメータを超えない。その上、Table 1(表1)およびTable 5(表5)において見られるように、DCIフォーマットの上記のセットは、スロット当たり2つのDCIサイズ(すなわち、DCIフォーマットサイズ1、2、3、および4)をC-RNTIごとに有し、これは、スロット当たり多くて3つの異なるDCIサイズがC-RNTIごとに監視されることを規定する第2の数のDCIサイズパラメータを超えない。したがって、実施形態のDCI整合論理の動作において、DCIフォーマットのセットのDCIフォーマットサイズはいずれもが、第1の数のDCIサイズパラメータまたは第2の数のDCIサイズパラメータを満たすように組み合わせられないことになる。
【００８６】
【表５】
2021518690.tif 000008
【００８７】
DCIフォーマットのサイズ整合は、たとえば、サイズ整合が行われるDCIフォーマット間のDCIペイロードの1つまたは複数の部分をパディングし、または切り取ることによって行われ得る。たとえば、より小さいペイロードサイズを有するDCIフォーマットのDCIペイロードの1つまたは複数の部分のゼロパディングが、実施形態に従ったサイズ整合のために利用され得る。追加または代替として、より大きいペイロードサイズを有するDCIフォーマットのDCIペイロードの1つまたは複数の部分の切り取りが、実施形態に従ったサイズ整合のために利用され得る。
【００８８】
本開示の実施形態に従って実施されるサイズ整合は、いくつかの異なる基準に基づき得る。たとえば、サイズ整合は、無線リソース制御(RRC)構成、構成されたDCIフォーマットサイズ、初期のBWP、アクティブBWPなどに基づき得る。
【００８９】
RRC構成に基づくサイズ整合の例として、動的なサイズ整合が実行されるDCIフォーマットのセットのうちのいくつかのDCIフォーマットは、アップリンクスケジューリングDCIフォーマットおよびダウンリンクスケジューリングDCIフォーマットを備え、RRC構成が動的なサイズ整合のために使用され得る。動的なサイズ整合のためのRRC構成は、たとえば、DCIフォーマット0-1と1-1との間の、および/またはDCIフォーマット2-0と2-1との間のサイズ整合のために使用され得る。
【００９０】
構成されたDCIフォーマットサイズに基づくサイズ整合の例では、動的なサイズ整合は、DCIフォーマットのセットが、第2の数のDCIサイズパラメータより大きい、ワイヤレス通信スロット当たりの識別子を使用して符号化されるDCIペイロードを搬送するために使用されるDCIフォーマットに対するDCIフォーマットサイズの総数を備えるとき、または、DCIフォーマットのセットが、第1の数のDCIサイズパラメータより大きい、ワイヤレス通信スロット当たりのDCIフォーマットサイズの総数を備えるとき、DCIフォーマットのセットに対する構成されるDCIサイズに基づき得る。動的なサイズ整合のための構成されるDCIフォーマットサイズは、たとえば、DCIフォーマット0-1と1-1との間の、および/またはDCIフォーマット2-0と2-1との間のサイズ整合のために使用され得る。
【００９１】
初期のBWPに基づくサイズ整合の例として、第1のDCIフォーマットのリソース割振り(RA)サイズは、サイズ整合されるべきDCIフォーマットのうちの第2のDCIフォーマットのRAサイズにサイズ整合されることがあり、その後、第1のDCIフォーマットの全体のDCIペイロードサイズは、第1のDCIフォーマットのDCIペイロードの情報をパディングし、または切り取ることによって、第2のDCIフォーマットの全体のDCIペイロードサイズにサイズ整合されることがある。初期のBWPに基づくこのサイズ整合の具体的な例が、CSSにおけるフォールバックDCIフォーマット0-0と1-0との間のDCIフォーマットのサイズ整合、および初期のダウンリンクBWPに関して、図5Aに示されている。図5Aに示される例では、アップリンクスケジューリングDCIフォーマットRAサイズは、アップリンクスケジューリングDCIフォーマットRAに関してゼロパディングまたは切り取りなどを使用して、ダウンリンクスケジューリングDCIフォーマットRAサイズにまず整合される。次いで、全体のアップリンクスケジューリングDCIフォーマットサイズは、アップリンクスケジューリングDCIフォーマットの他のフィールドに関してゼロパディングまたは切り取りなどを使用して、ダウンリンクスケジューリングDCIフォーマットサイズにサイズ整合される。
【００９２】
初期のBWPに基づくサイズ整合の別の例として、初期のBWPのRAサイズが、サイズ整合されるべきDCIフォーマットのうちの第2のDCIフォーマットの全体のDCIペイロードサイズにサイズ整合されるべき、DCIフォーマットのうちの第1のDCIフォーマットの全体のDCIペイロードサイズをサイズ整合することを試みるために、および、第1のDCIフォーマットの全体のDCIペイロードサイズが初期のBWPのRAサイズを使用して第2のDCIフォーマットの全体のDCIペイロードサイズと一致しない場合、第1のDCIフォーマットのDCIペイロードの情報をパディングし、または切り取ることによって、第2のDCIフォーマットの全体のDCIペイロードサイズに第1のDCIフォーマットの全体のDCIペイロードサイズをサイズ整合することを試みるために、使用される。初期のBWPに基づくこのサイズ整合の具体的な例が、CSSにおけるフォールバックDCIフォーマット0-0と1-0との間のDCIフォーマットのサイズ整合、および初期のダウンリンクBWPに関して、図5Bに示されている。図5Bに示される例では、初期のアップリンクBWPのためのアップリンクスケジューリングDCIフォーマットRAサイズは、全体のアップリンクスケジューリングDCIフォーマットサイズをダウンリンクスケジューリングDCIフォーマットサイズに整合することまで許容される。その後、全体のアップリンクスケジューリングDCIフォーマットサイズがそれでもダウンリンクスケジューリングDCIフォーマットサイズと一致しない場合、全体のアップリンクスケジューリングDCIフォーマットサイズが、ゼロパディングなどを使用して、ダウンリンクスケジューリングDCIフォーマットサイズにサイズ整合され得る。
【００９３】
アクティブBWPに基づくサイズ整合の例として、第1のDCIフォーマットのRAサイズは、サイズ整合されるべきDCIフォーマットのうちの第2のDCIフォーマットのRAサイズにサイズ整合されることがあり、その後、第1のDCIフォーマットの全体のDCIペイロードサイズは、第1のDCIフォーマットのDCIペイロードの情報をパディングし、または切り取ることによって、第2のDCIフォーマットの全体のDCIペイロードサイズにサイズ整合されることがある。USSにおけるフォールバックDCIフォーマット0-0と1-0との間のDCIフォーマットのサイズ整合、およびDCIフォーマット0-1と1-1との間のDCIフォーマットのサイズ整合は、アクティブダウンリンクBWPに基づくこのサイズ整合の具体的な例を提供し得る。たとえば、アップリンクスケジューリングDCIフォーマット(たとえば、0-0または0-1)RAサイズは、アップリンクスケジューリングDCIフォーマットRAに関してゼロパディングまたは切り取りなどを使用して、ダウンリンクスケジューリングDCIフォーマットRA(たとえば、1-0または1-1)サイズにまず整合され得る。次いで、全体のアップリンクスケジューリングDCIフォーマット(たとえば、0-0または0-1)サイズは、アップリンクスケジューリングDCIフォーマットの他のフィールドに関してゼロパディングまたは切り取りなどを使用して、ダウンリンクスケジューリングDCIフォーマット(たとえば、1-0または1-1)にサイズ整合され得る。別の例では、ダウンリンクRAサイズはアクティブダウンリンクBWPに関して整合されることがあり、アップリンクRAサイズはアクティブアップリンクBWPに関して整合されることがある。次いで、DCIフォーマットのための全体のDCIのサイズ整合は、より小さいものからより大きいものへのゼロパディングを使用して行われ得る。
【００９４】
アクティブBWPに基づくサイズ整合の別の例として、アクティブBWPのRAサイズが、サイズ整合されるべきDCIフォーマットのうちの第2のDCIフォーマットの全体のDCIペイロードサイズにサイズ整合されるべき、DCIフォーマットのうちの第1のDCIフォーマットの全体のDCIペイロードサイズをサイズ整合することを試みるために、および、第1のDCIフォーマットの全体のDCIペイロードサイズがアクティブBWPのRAサイズを使用して第2のDCIフォーマットの全体のDCIペイロードサイズと一致しない場合、第1のDCIフォーマットのDCIペイロードの情報をパディングし、または切り取ることによって、第2のDCIフォーマットの全体のDCIペイロードサイズに第1のDCIフォーマットの全体のDCIペイロードサイズをサイズ整合することを試みるために、使用される。USSにおけるフォールバックDCIフォーマット0-0と1-0との間のDCIフォーマットのサイズ整合、およびDCIフォーマット0-1と1-1との間のDCIフォーマットのサイズ整合は、アクティブBWPに基づくこのサイズ整合の具体的な例を提供し得る。たとえば、アクティブアップリンクBWPのためのアップリンクスケジューリングDCIフォーマット(たとえば、0-0または0-1)RAサイズは、全体のアップリンクスケジューリングDCIフォーマットサイズをダウンリンクスケジューリングDCIフォーマット(たとえば、1-0または1-1)サイズに整合することまで許容される。その後、全体のアップリンクスケジューリングDCIフォーマット(たとえば、0-0または0-1)サイズがそれでもダウンリンクスケジューリングDCIフォーマット(たとえば、1-0または1-1)サイズと一致しない場合、全体のアップリンクスケジューリングDCIフォーマット(たとえば、0-0または0-1)サイズは、アップリンクスケジューリングDCIフォーマットの他のフィールドに関してゼロパディングまたは切り取りなどを使用して、ダウンリンクスケジューリングDCIフォーマット(たとえば、1-0または1-1)サイズにサイズ整合され得る。
【００９５】
アクティブBWPに基づくサイズ整合のさらに別の例として、アクティブダウンリンクBWPのダウンリンクスケジューリングDCIフォーマットRAサイズが、少なくとも2つのDCIフォーマットのうちのダウンリンクスケジューリングDCIフォーマットの全体のDCIペイロードサイズにおいて使用されることがあり、アクティブアップリンクBWPのアップリンクスケジューリングDCIフォーマットRAサイズが、少なくとも2つのDCIフォーマットのうちのアップリンクスケジューリングDCIフォーマットの全体のDCIペイロードサイズにおいて使用されることがある。この例によれば、ダウンリンクスケジューリングDCIフォーマットの全体のDCIペイロードサイズとアップリンクスケジューリングDCIフォーマットのペイロードサイズが一致しない場合、ダウンリンクスケジューリングDCIフォーマットとアップリンクスケジューリングDCIフォーマットのうちの一方の全体のDCIペイロードサイズが、アップリンクスケジューリングDCIフォーマットとダウンリンクスケジューリングDCIフォーマットのいずれかまたは両方のDCIペイロードの情報をパディングし、または切り取ることなどによって、アップリンクスケジューリングDCIフォーマットとダウンリンクスケジューリングDCIフォーマットのうちの他方にサイズ整合され得る。
【００９６】
DCIフォーマットのサイズ整合を提供するための実施形態が、主要なリンク(たとえば、主要なアップリンクおよび/または主要なダウンリンク)に対するDCIフォーマット整合に関して説明されてきたが、DCIフォーマットのサイズ整合が補助的なリンクに関して行われ得ることを理解されたい。たとえば、DCIフォーマット整合は、補助的なアップリンクおよび/または補助的なダウンリンクに関して行われ得る。
【００９７】
補助的なリンクに関して行われるDCIフォーマットのサイズ整合の例として、主要なリンクに関して使用されるDCIフォーマットに対するDCIフォーマットサイズ、および補助的なリンクに関して使用されるDCIフォーマットに対するDCIフォーマットサイズは、主要なリンクおよび補助的なリンクに対するDCIフォーマットサイズの最大の構成されるDCIサイズに基づき得る。具体的な例として、第1のDCIフォーマットは主要なアップリンクに関して使用されることがあり、第2のDCIフォーマットは主要なアップリンクに対応する補助的なアップリンクに関して使用されることがある。実施形態に従った動作において、第1のDCIフォーマットと第2のDCIフォーマットの一方を第2のDCIフォーマットと第1のDCIフォーマットの他方にサイズ整合することは、第2のDCIフォーマットと第1のDCIフォーマットの他方に対する最大の構成されるDCIサイズに基づいて行われ得る。
【００９８】
補助的なリンクに関して行われるDCIフォーマットのサイズ整合の別の例として、補助的なリンクに関して使用されるDCIフォーマットに対するDCIフォーマットサイズは、対応する主要なリンクに関して使用されるDCIフォーマットに対する構成されるDCIサイズに基づき得る。具体的な例として、第1のDCIフォーマットは主要なダウンリンクに関して使用されることがあり、第2のDCIフォーマットは主要なダウンリンクと関連付けられる主要なアップリンクに対応する補助的なアップリンクに関して使用されることがある。実施形態に従った動作において、第2のDCIフォーマットを第1のDCIフォーマットにサイズ整合することは、第1のDCIフォーマットに対する構成されるDCIサイズに基づいて行われ得る。
【００９９】
補助的なリンクに関して行われるDCIフォーマットのサイズ整合のさらに別の例として、主要なダウンリンクに関して使用されるDCIフォーマットに対するDCIフォーマットサイズ、主要なアップリンクに関して使用されるDCIフォーマットに対するDCIフォーマットサイズ、および補助的なリンクに関して使用されるDCIフォーマットに対するDCIフォーマットサイズは、アクティブBWP(たとえば、アクティブ主要ダウンリンクBWP、アクティブ主要アップリンクBWP、およびアクティブ補助リンクBWP)に基づき得る。具体的な例として、第1のDCIフォーマットは主要なダウンリンクに関して使用されることがあり、第2のDCIフォーマットは主要なダウンリンクに対応する主要なアップリンクに関して使用されることがあり、第3のDCIフォーマットは主要なアップリンクに対応する補助的なアップリンクに関して使用されることがある。実施形態に従った動作において、第1のDCIフォーマット、第2のDCIフォーマット、および第3のDCIフォーマットのうちの2つを、第3のDCIフォーマット、第2のDCIフォーマット、および第1のDCIフォーマットのうちの残りの1つにサイズ整合することは、第3のDCIフォーマット、第2のDCIフォーマット、および第1のDCIフォーマットのうちの残りの1つに対する最大の構成されるDCIサイズに基づき得る(たとえば、DCIフォーマットサイズは、主要なダウンリンクDCIフォーマット、主要なアップリンクDCIフォーマット、および補助的なアップリンクDCIフォーマットの最大のDCIフォーマットサイズによって決定される)。
【０１００】
情報および信号が様々な異なる技術および技法のうちのいずれかを使用して表されてもよいことを、当業者は理解されよう。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表されてもよい。
【０１０１】
図2および図4の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１０２】
本明細書での開示に関して説明された様々な例示的な論理ブロック、モジュール、回路、およびアルゴリズムステップが、電子ハードウェア、コンピュータソフトウェア、またはその両方の組合せとして実装され得ることを、当業者はさらに理解されよう。ハードウェアとソフトウェアとのこの互換性を明確に示すために、様々な例示的な構成要素、ブロック、モジュール、回路、およびステップが、概して、それらの機能の観点から上記で説明されている。そのような機能が、ハードウェアとして実装されるのか、それともソフトウェアとして実装されるのかは、具体的な適用例および全体的なシステムに課される設計制約によって決まる。当業者は、説明された機能を具体的な適用例ごとに様々なやり方で実施することができるが、そのような実装形態の決定は、本開示の範囲からの逸脱を引き起こすものと解釈されるべきではない。当業者はまた、本明細書で説明される構成要素、方法、または相互作用の順序または組合せが例にすぎないこと、および本開示の様々な態様の構成要素、方法、または相互作用が、本明細書において図示および説明されたもの以外のやり方で組み合わせられてよくまたは実行されてよいことを、容易に認識されよう。
【０１０３】
本明細書での開示に関して説明された様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本明細書で説明された機能を実行するように設計されたそれらの任意の組合せを用いて、実装または実行され得る。汎用プロセッサはマイクロプロセッサであってもよいが、代替として、プロセッサは、任意の従来のプロセッサ、コントローラ、マイクロコントローラ、またはステートマシンであってもよい。プロセッサはまた、コンピューティングデバイスの組合せ、たとえば、DSPおよびマイクロプロセッサの組合せ、複数のマイクロプロセッサ、DSPコアと連携する1つまたは複数のマイクロプロセッサ、または任意の他のそのような構成として実装されてもよい。
【０１０４】
本明細書の開示に関して説明された方法またはアルゴリズムのステップは、直接ハードウェアで具現化されるか、プロセッサによって実行されるソフトウェアモジュールで具現化されるか、またはその2つの組合せで具現化され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体の中に存在し得る。例示的な記憶媒体は、プロセッサが記憶媒体から情報を読み取ることができ、かつ記憶媒体に情報を書き込むことができるように、プロセッサに結合される。代替として、記憶媒体は、プロセッサと一体であってもよい。プロセッサおよび記憶媒体は、ASICの中に存在してもよい。ASICは、ユーザ端末の中に存在してもよい。代替として、プロセッサおよび記憶媒体は、個別の構成要素としてユーザ端末の中に存在してもよい。
【０１０５】
1つまたは複数の例示的な設計では、説明された機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体上に記憶され得るか、またはコンピュータ可読媒体を介して送信され得る。コンピュータ可読媒体は、コンピュータ記憶媒体と、コンピュータプログラムのある場所から別の場所への転送を容易にする任意の媒体を含む通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、RAM、ROM、EEPROM、CD-ROMまたは他の光ディスクストレージ、磁気ディスクストレージまたは他の磁気ストレージデバイス、あるいは命令またはデータ構造の形態の所望のプログラムコード手段を搬送または記憶するために使用され、汎用もしくは専用コンピュータ、または汎用もしくは専用プロセッサによってアクセスされ得る任意の他の媒体を備えることができる。また、接続が、コンピュータ可読媒体と適切に呼ばれることもある。たとえば、ソフトウェアが、同軸ケーブル、光ファイバケーブル、ツイストペア、またはデジタル加入者回線(DSL)を使用して、ウェブサイト、サーバ、または他のリモートソースから送信される場合、同軸ケーブル、光ファイバケーブル、ツイストペア、またはDSLは、媒体の定義に含まれる。本明細書で使用されるディスク(disk)およびディスク(disc)は、コンパクトディスク(disc)(CD)、レーザーディスク(登録商標)(disc)、光ディスク(disc)、デジタル多用途ディスク(disc)(DVD)、フロッピーディスク(disk)およびblu-rayディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれるべきである。
【０１０６】
特許請求の範囲内を含む本明細書で使用される「および/または」という用語は、2つ以上の項目の列挙において使用されるとき、列挙される項目のうちのいずれか1つが単独で使用されることが可能であること、または列挙される項目のうちの2つ以上の任意の組合せが使用されることが可能であることを意味する。たとえば、組成物が構成要素A、B、および/またはCを含むものとして説明される場合、組成物は、Aのみ、Bのみ、Cのみ、AとBとの組合せ、AとCとの組合せ、BとCとの組合せ、またはAとBとCとの組合せを含むことができる。また、特許請求の範囲内を含む本明細書で使用される「のうちの少なくとも1つ」で終わる項目の列挙において使用される「または」は、たとえば、「A、B、またはCのうちの少なくとも1つ」という列挙が、AまたはBまたはCまたはABまたはACまたはBCまたはABC(すなわち、AおよびBおよびC)、あるいはそれらの任意の組合せにおけるこれらのいずれかを意味するような、選言的な列挙を示す。
【０１０７】
本開示のこれまでの説明は、任意の当業者が本開示を作成または使用できるようにするために提供される。本開示の様々な修正が当業者に容易に明らかになり、本明細書で定義される一般原理は、本開示の趣旨または範囲から逸脱することなく他の変形形態に適用され得る。したがって、本開示は、本明細書で説明された例および設計に限定されるものでなく、本明細書で開示される原理および新規の特徴と一致する最も広い範囲が与えられるべきである。
【符号の説明】
【０１０８】
100  5Gネットワーク
105  基地局
105a  基地局
105b  基地局
105c  基地局
105d  基地局
105e  基地局
105f  基地局
115  UE
115a  UE
115b  UE
115c  UE
115d  UE
115e  UE
115f  UE
115g  UE
115h  UE
115i  UE
115j  UE
115k  UE
212  データソース
220  送信プロセッサ
230  送信(TX)多入力多出力(MIMO)プロセッサ
232  変調器、復調器
232a〜232t  変調器
234  アンテナ
234a〜234t  アンテナ
236  MIMO検出器
238  受信プロセッサ
239  データシンク
240  コントローラ/プロセッサ
242  メモリ
244  スケジューラ
252a〜252r  アンテナ
254  復調器
254a〜254r  変調器、復調器
256  MIMO検出器
258  受信プロセッサ
260  データシンク
262  データソース
264  送信プロセッサ
266  TX MIMOプロセッサ
280  コントローラ/プロセッサ
282  メモリ
300  タイミング図
305  スーパーフレーム
310  獲得区間
315  調停区間
320  部分区間
325  サブフレーム
330-a  リソース
330-b  リソース
330-c  リソース
335-a  リソース
335-b  リソース
335-c  リソース
335-d  リソース
335-e  リソース
335-f  リソース
340-a  リソース
340-b  リソース
400  フロー
【図１】
2021518690.tif 000009
【図２】
2021518690.tif 000010
【図３】
2021518690.tif 000011
【図４】
2021518690.tif 000012
【図５Ａ】
2021518690.tif 000013
【図５Ｂ】
2021518690.tif 000014
【国際調査報告】
2021518690.tif 000015
2021518690.tif 000016
2021518690.tif 000017
2021518690.tif 000018